(57)【要約】【課題】情報記録媒体が記録再生装置に挿入されたときに、最初に起動する層として記録可能な層を指定することができるので、情報記録媒体の挿入時に、ディスクサプライヤーの意図する最新状態での起動を可能とする。【解決手段】再生専用の記録層であるＬ１層と記録可能な層であるＬ０層とを備えた光ディスク１００には、自身に対して情報の記録または再生を行う光ディスク装置１に挿入された時に、最初に起動する情報記録層として、Ｌ０層をＬ１層に優先して指定するための層指定情報が記録されている。それゆえ、光ディスク１００の挿入時に、ディスクサプライヤーの意図する最新状態での起動が可能となる。【選択図】図１
2011090760.tif 000002
【特許請求の範囲】
【請求項１】
情報を追記録することが可能な又は情報を書き換えることが可能な第１情報記録層と、情報を読み出すことのみ可能な第２情報記録層と、を備えた情報記録媒体であって、
自媒体に対して情報の記録または再生を行う記録再生装置に挿入された時に、最初に起動する情報記録層として、上記第１情報記録層を上記第２情報記録層に優先して指定するための層指定情報が記録されていることを特徴とする情報記録媒体。
【請求項２】
上記層指定情報は、上記第１情報記録層のボリュームパックを指定するための情報であることを特徴とする請求項１に記載の情報記録媒体。
【請求項３】
上記層指定情報は、上記第１情報記録層の層種類を指定するための情報であることを特徴とする請求項１に記載の情報記録媒体。
【請求項４】
上記層指定情報は、上記第１情報記録層の層番号を指定するための情報であることを特徴とする請求項１に記載の情報記録媒体。
【請求項５】
上記層指定情報は、上記情報記録媒体の構造を示す識別情報が記録されている管理領域に記録されていることを特徴とする請求項１〜４の何れか１項に記載の情報記録媒体。
【請求項６】
上記層指定情報は、上記第２情報記録層に記録されていることを特徴とする請求項１〜４の何れか１項に記載の情報記録媒体。
【請求項７】
上記層指定情報は、上記第１情報記録層に記録されていることを特徴とする請求項１〜４の何れか１項に記載の情報記録媒体。
【請求項８】
上記第１情報記録層には、アプリケーションを起動するための第１起動プログラムが記録されており、
上記第１起動プログラムは、上記第１情報記録層を起動することにより実行されることを特徴とする請求項１〜７の何れか１項に記載の情報記録媒体。
【請求項９】
上記アプリケーションは、
自媒体に記録されたコンテンツをメニュー表示するコンテンツ視聴メニューであることを特徴とする請求項８に記載の情報記録媒体。
【請求項１０】
上記アプリケーションは、自媒体に記録されているコンテンツの一覧を外部の表示装置に表示させ、表示された上記コンテンツのうち、視聴を希望するコンテンツをユーザに選択させ、選択されたコンテンツを上記表示装置に表示させるものであることを特徴とする請求項９に記載の情報記録媒体。
【請求項１１】
上記第１起動プログラムは、
上記記録再生装置を制御するオペレーティングシステムであることを特徴とする請求項８に記載の情報記録媒体。
【請求項１２】
上記第１起動プログラムは、自媒体の出荷時に、上記第１情報記録層に記録されていることを特徴とする請求項８〜１１の何れか１項に記載の情報記録媒体。
【請求項１３】
上記第１起動プログラムは、上記第１情報記録層がフォーマットされた後に、当該第１情報記録層に記録されることを特徴とする請求項８〜１１の何れか１項に記載の情報記録媒体。
【請求項１４】
上記第１起動プログラムは、
上記第２情報記録層から上記第１情報記録層にコピーされたものであることを特徴とする請求項８〜１３の何れか１項に記載の情報記録媒体。
【請求項１５】
上記第２情報記録層に記録されている、当該第２情報記録層を起動するための第２起動プログラムが実行されることにより、上記第２情報記録層に記録されている上記第１起動プログラムが上記第１情報記録層にコピーされることを特徴とする請求項１４に記載の情報記録媒体。
【請求項１６】
上記アプリケーションまたは上記第１起動プログラムは、外部に接続したネットワークを介して、最新版に更新されることを特徴とする請求項８〜１５の何れか１項に記載の情報記録媒体。
【請求項１７】
上記第２情報記録層に記録されている情報は、自媒体の出荷時に、上記第１情報記録層に記録されていることを特徴とする請求項１２に記載の情報記録媒体。
【請求項１８】
上記第２情報記録層に記録されている情報は、上記第１情報記録層がフォーマットされた後に、当該第１情報記録層に記録されることを特徴とする請求項１３に記載の情報記録媒体。
【請求項１９】
上記第２情報記録層に記録されている、当該第２情報記録層を起動するための第２起動プログラムが実行されることにより、上記第２情報記録層に記録されている情報および上記第１起動プログラムが、上記第１情報記録層にコピーされることを特徴とする請求項１４または１５に記載の情報記録媒体。
【請求項２０】
上記第１起動プログラムおよび上記第２起動プログラムは同一であることを特徴とする請求項１５または１９に記載の情報記録媒体。
【請求項２１】
情報を追記録することが可能な又は情報を書き換えることが可能な第１情報記録層と、情報を読み出すことのみ可能な第２情報記録層と、を備えた情報記録媒体に対して情報の記録または再生を行う記録再生装置であって、
上記情報記録媒体が挿入されたときに、最初に起動する情報記録層として、上記第１情報記録層を上記第２情報記録層に優先して指定するための層指定情報を取得する取得手段と、
上記取得手段が取得した上記層指定情報が示す上記第１情報記録層を起動層として認識する認識手段と、を備えることを特徴とする記録再生装置。
【請求項２２】
上記第１情報記録層に、ユーザの指示に基づき設定された層指定情報を書き込む書き込み手段を備えることを特徴とする請求項２１に記載の記録再生装置。
【請求項２３】
上記書き込み手段が書き込む層指定情報は、起動層である上記第１情報記録層のボリュームパックを指定するための情報、上記第１情報記録層の層種類を指定するための情報、または、上記第１情報記録層の層番号を指定するための情報であることを特徴とする請求項２２に記載の記録再生装置。
【請求項２４】
上記取得手段は、自装置の格納部から上記層指定情報を取得することを特徴とする請求項２１〜２３の何れか１項に記載の記録再生装置。
【請求項２５】
上記格納部は、上記層指定情報を情報記録媒体ごとに対応付けて格納していることを特徴とする請求項２４に記載の記録再生装置。
【請求項２６】
上記格納部に格納されている層指定情報を書き換える書き換え手段を備えることを特徴とする請求項２４または２５に記載の記録再生装置。
【請求項２７】
情報を追記録することが可能な又は情報を書き換えることが可能な第１情報記録層と、情報を読み出すことのみ可能な第２情報記録層と、を備えた情報記録媒体に対して情報の記録または再生を行う記録再生装置の制御方法であって、
上記情報記録媒体が挿入されたときに、最初に起動する情報記録層として、上記第１情報記録層を上記第２情報記録層に優先して指定するための層指定情報を取得する取得ステップと、
上記取得ステップにて取得した上記層指定情報が示す上記第１情報記録層を起動層として認識する認識ステップと、を含むことを特徴とする記録再生装置の制御方法。
【請求項２８】
情報を追記録することが可能な又は情報を書き換えることが可能な第１情報記録層と、情報を読み出すことのみ可能な第２情報記録層と、を備えた情報記録媒体に対して情報の記録または再生を行う記録再生装置の制御プログラムであって、
上記情報記録媒体が挿入されたときに、最初に起動する情報記録層として、上記第１情報記録層を上記第２情報記録層に優先して指定するための層指定情報を取得する取得ステップと、
上記取得ステップにて取得した上記層指定情報が示す上記第１情報記録層を起動層として認識する認識ステップと、をコンピュータに実行させるための記録再生装置の制御プログラム。
【請求項２９】
請求項２８に記載の記録再生装置の制御プログラムを記録したコンピュータ読み取り可能な記録媒体。
【発明の詳細な説明】
【技術分野】
【０００１】
本発明は、記録特性の異なる情報記録層を複数備える、ディスクサプライヤーの意図する最新状態での起動を可能とする情報記録媒体等に関する。
【背景技術】
【０００２】
近年、ＯＳ（Operating System）やアプリケーション等のセキュリティーを向上させる目的や、より使いやすいものにバージョンアップする目的で、インターネット等を利用して、頻繁に更新情報などをインストールする機会が多くなってきている。
【０００３】
さらに、近年、光ディスク等の光情報記録媒体は、その記録容量が増大しており、例えば、一枚のＤＶＤ−ＲＯＭ（Digital Versatile Disc - Read Only Memory）で約２００分程度の映像／音声データを記録できるようになってきている。今後は、Ｂｌｕ−ｒａｙ Ｄｉｓｃ（登録商標）などの登場に伴い、光ディスクの記録容量が益々増大し、一枚の光ディスクに何十時間にも及ぶ映像／音声データの記録が可能となるものと考えられる。
【０００４】
このような背景のもと、記録容量が増大した光ディスク等の光情報記録媒体に更新情報を記録し、当該光情報記録媒体を常に最新版にアップデートさせておく技術が進展している。そのような技術は、例えば特許文献１、２に開示されている。
【０００５】
具体的に、特許文献１の記録媒体システム（ＤＶＤシステム）は、再生専用領域（以降「ＲＯＭ領域」とも表記する）と記録可能領域（以降、説明のため「ＲＥ領域」とも表記する）とを備え、基礎データをＲＯＭ領域に記録し、ネットワークを介して受信した追加・更新・削除情報をＲＥ領域に書き込んでいる。そして、当該ＤＶＤシステムは、ＲＯＭ領域およびＲＥ領域のデータを読み出し、各々のデータを連携・同期させて最新版のＤＶＤディスクと同様に出力しており、これにより、ＤＶＤディスクを常に最新版のディスクとして利用することを可能にしている。
【０００６】
特許文献２に記載の、ネットワーク上で電子コンテンツにアクセスする方法では、識別シグネチャあるいは暗号化情報が設けられた認証用ハイブリッド光ディスクにより、ネットワーク上のコンテンツ供給者のデータベースにユーザがアクセスし、取得したコンテンツが光ディスクのＲＥ領域に保存される。これにより、安全かつ便利にネットワーク上の情報にアクセスし、取得した最新情報をＲＥ領域に保存することを可能にしている。
【０００７】
他の特許文献として、特許文献３には、取得した更新情報等を管理する方法が開示されている。具体的に、特許文献３のディスク記録装置は、フォーマット時にＲＥ領域にファイル管理領域を設け、ＲＯＭ領域に記録されていたファイル管理情報をＲＥ領域に転写し、ＲＥ領域に記録する毎にファイル管理情報を更新している。これにより、ＲＯＭ領域およびＲＥ領域に記録されたデータファイルを一元管理し、取得情報の管理を容易にしている。
【先行技術文献】
【特許文献】
【０００８】
【特許文献１】特開平１１−１４４３２２号公報（１９９９年５月２８日公開）
【特許文献２】特開２００３−１０００１３号公報（２００３年４月４日公開）
【特許文献３】特開平７−１８２２１８号公報（１９９５年７月２１日公開）
【特許文献４】特開２００８−２９３５９２号公報（２００８年１２月４日公開）
【発明の概要】
【発明が解決しようとする課題】
【０００９】
しかしながら、特許文献２の技術は、認証・内容閲覧表示のためにネットワークへ接続することを前提とするものであり、かつ、ＲＯＭ領域から起動するため、ＲＯＭ領域とＲＥ領域との信号の往来が頻繁になる。さらに、ディスクは認証用に利用され、コンテンツそのものは媒体に記録されていないため、コンテンツのダウンロードに多大な時間を要し、ユーザにとって利便性に欠ける。
【００１０】
また、特許文献１・３では、ＲＯＭ領域およびＲＥ領域は同一の層に設けられ、記録されたデータファイルは一元管理されている。従って、特許文献１・３の技術では、情報記録層が多層化され、ＲＯＭ領域およびＲＥ領域が異なる層に設けられた場合に、両層をまたいだ一元管理は困難である。
【００１１】
なお、情報記録層が多層化された光記録媒体に関する特許文献として、特許文献４では、異なるフォーマットに対応した複数の情報記録層を有する多層情報記録媒体（ハイブリッドディスク）から情報を読み出す際の起動シーケンスを、情報記録層のフォーマットに基づいて変更する構成が開示されている。この構成では、ハイブリッドディスクに記録されているコンテンツを再生する際に、例えばユーザがデフォルトフォーマットレイヤーを設定可能であるため、異なるフォーマットレイヤーへのアクセスに必要な時間を低減することができる。
【００１２】
なお、情報記録媒体の情報記録層の多層化は、情報記録媒体の記録容量を向上させる一方法として考えられたものであり、例えば、現在のところ、ＤＶＤ（Digital Versatile Disc）やＢＤ（Blu-ray Disc；登録商標）等において情報記録層を２層まで有する多層情報記録媒体が規格化され、販売されている。また、例えば情報記録層の深さを変えることで、フォーマット（規格）の異なる情報記録層（例えば、ＤＶＤ規格に対応する情報記録層およびＨＤ  ＤＶＤ規格に対応する情報記録層）を１枚のディスクに収納した多層情報記録媒体も存在する。
【００１３】
しかしながら、特許文献４の技術は、フォーマットの異なる情報記録層を有する場合に、どのフォーマットに対応した情報記録層を指定するかを決定するものであって、単一フォーマットの情報記録媒体（例えばＢＤ）の起動シーケンスを考慮したものではない。すなわち、特許文献４の技術は、フォーマット指定後の当該フォーマット内の情報記録層のうち、どの情報記録層を最初に起動させるかを選択的に指定することができるものではない。
【００１４】
従って、特許文献４の技術では、単一フォーマットの情報記録媒体が記録再生装置に挿入されても、ディスクサプライヤー（製造業者）またはユーザが最初に起動させたい情報記録層にアクセスすることができない可能性があり、所望のアプリケーションを情報記録媒体挿入時に起動させることできない虞があった。
【００１５】
本発明は、上記の問題を解決するためになされたもので、その目的は、最初に起動する情報記録層として、情報を追記録することが可能な又は情報を書き換えることが可能な情報記録層を情報を読み出すことのみ可能な情報記録層に優先して指定するため、当該情報記録媒体が記録再生装置に挿入されたときに、ディスクサプライヤーの意図する最新状態での起動を可能とする情報記録媒体、記録再生装置、記録再生装置の制御方法、記録再生装置の制御プログラム、及びコンピュータ読み取り可能な記録媒体を提供することにある。
【課題を解決するための手段】
【００１６】
本発明に係る情報記録媒体は、上記の課題を解決するために、情報を追記録することが可能な又は情報を書き換えることが可能な第１情報記録層と、情報を読み出すことのみ可能な第２情報記録層と、を備えた情報記録媒体であって、自媒体に対して情報の記録または再生を行う記録再生装置に挿入された時に、最初に起動する情報記録層として、上記第１情報記録層を上記第２情報記録層に優先して指定するための層指定情報が記録されていることを特徴としている。
【００１７】
上記構成によれば、本発明に係る情報記録媒体には、最初に起動する情報記録層として、上記第１情報記録層を上記第２情報記録層に優先して指定するための層指定情報が記録されている。そして、その第１情報記録層は、情報を追記録することが可能な又は情報を書き換えることが可能な記録層である。
【００１８】
ここで、ＯＳやアプリケーション等のセキュリティーを向上させる目的や、より使いやすいものにバージョンアップすることを目的として更新（最新）情報を取得し、その更新情報を情報記録媒体に記録する場合、その更新情報は記録可能な情報記録層である第１情報記録層に記録される。そして、その更新情報は、ＯＳやアプリケーション等のセキュリティーの向上や、時節に即応した内容などを目的としたものであって、ディスクサプライヤーは、できる限りユーザにその更新情報の使用を望むものである。そのため、本発明に係る情報記録媒体を記録再生装置に挿入すると、更新情報が記録された第１情報記録層が第２情報記録層に優先して起動されるため、ディスクサプライヤーの意図する更新状態での起動を実現することができるという効果を奏する。
【００１９】
つまり、例えばしおり、お好みシーン、ダイジェスト再生、アンケート調査などのコンテンツ視聴メニューが第１情報記録層に記録されている場合には、情報記録媒体を記録再生装置に挿入することで第１情報記録層が最初に起動するため、使用状況に即応したメニュー表現を迅速に実行することができる。
【００２０】
加えて、本発明に係る情報記録媒体では、更新情報が記録される情報記録層は第１情報記録層に限られ、しかも、第１及び第２情報記録層は互いに独立管理された情報記録層である。従って、ＲＯＭ領域のファイルも含めたデータファイルの一元管理をＲＥ領域において行う特許文献３に開示の技術と比べると、本発明に係る情報記録媒体は、第１及び第２情報記録層におけるファイル管理が単純であるため、従来のＲＥディスクのファイル管理を大きく変更する必要がない。しかも、従来の再生専用ディスクにおけるコンテンツの著作権保護技術を大きく変更することなく、第２情報記録層に記録された情報の著作権保護に適用することができる。
【００２１】
さらに、特許文献１に開示の技術では、ＲＥ領域にてＲＯＭ領域の情報を連携・同期させて仮想的に最新版の（ひとつのＤＶＤと読み取れる）ＤＶＤとしてシステム上認識するための仕組みが必要であったのに対し、本発明に係る情報記録媒体では、第１及び第２情報記録層は互いに独立管理された情報記録層であるため、特許文献１のような新たな仕組み作りは不要であり、それゆえ、従来のシステムを大きく変更する必要がない。
【００２２】
このように、上記構成により、利便性の高い情報記録媒体をユーザに提供することができる。
【００２３】
さらに、本発明に係る情報記録媒体では、上記層指定情報は、上記第１情報記録層のボリュームパックを指定するための情報であることが好ましい。
【００２４】
上記構成によれば、ボリュームパックを指定するための情報を用いて、最初に起動する情報記録層（起動）を認識することができる。つまり、複数の論理的な管理単位であるボリュームパックを有する情報記録媒体において、ボリュームパックを指定するための情報を用いて１つのボリュームパックを指定することにより、記録再生装置が制御可能な管理単位である情報記録層群（１つのボリュームパックが１層の情報記録層からなる場合はその情報記録層に特定される）を指定することが可能となる。このため、例えば、ユーザが使用したい機能をより早く起動することが可能となる。
【００２５】
さらに、本発明に係る情報記録媒体では、上記層指定情報は、上記第１情報記録層の層種類を指定するための情報であることが好ましい。
【００２６】
上記構成によれば、第１情報記録層は、層種類によって最初に起動する情報記録層として指定される。すなわち、層種類に基づく第１情報記録層へのアクセスが可能となる。例えば、再生専用の情報記録層（ＲＯＭ層）が１層、ＲＥ層が１層の２層構造を有する情報記録媒体の場合には、確実に（一意的に）ＲＥ層を起動層として指定することができる。
【００２７】
また、同種類の情報記録層を複数有する場合（例えばＲＯＭ層が２層、ＲＥ層が２層の４層構造）には、ＲＥ層を示す層指定情報によって、再生光入射側から最も遠い情報記録層に近いＲＥ層で、かつ、情報が記録可能な領域に対してアクセスを行うようにすればよい。このように、同種類の情報記録層を複数有する場合であっても、層種類によって、最初に起動させたい情報記録層として第１情報記録層を一意に決めることが可能である。
【００２８】
さらに、本発明に係る情報記録媒体では、上記層指定情報は、上記第１情報記録層の層番号を指定するための情報であることが好ましい。
【００２９】
上記構成によれば、例えば上記のような４層構造を有する情報記録媒体の場合（すなわち同種類の情報記録層を複数有する場合）に、より確実に（一意的に）、最初に起動させる第１情報記録層を起動層として指定することができる。特に、それぞれの情報記録層で異なるアプリケーションを有している場合に、どの情報記録層に記録されたアプリケーションを最初に起動させるかを確実に指定することが可能となる。
【００３０】
さらに、本発明に係る情報記録媒体では、上記層指定情報は、上記情報記録媒体の構造を示す識別情報が記録されている管理領域に記録されていることが好ましい。
【００３１】
上記構成によれば、管理領域に予め記録されている層指定情報を読み出すことができるので、ディスクサプライヤーが起動させたい第１情報記録層を最初に起動させることができる。
【００３２】
加えて、媒体認識の際に管理領域は必ず読み出されるため、層指定情報が読み出されるまでに必要な時間を短縮することができる。
【００３３】
さらに、本発明に係る情報記録媒体では、上記層指定情報は、上記第２情報記録層に記録されていることが好ましい。
【００３４】
上記構成によれば、層指定情報は、例えば、再生専用の記録層である第２情報記録層のプリピットとして形成される。そして、プリピットは大量生産が容易である。それゆえ、上記構成により、上記層設定情報が記録された情報記録媒体を容易に生産することができる。
【００３５】
さらに、本発明に係る情報記録媒体では、上記層指定情報は、上記第１情報記録層に記録されていることが好ましい。
【００３６】
上記構成によれば、上記層指定情報は、記録可能な情報記録層である第１情報記録層に記録されるため、追記録又は書き換えが可能である。従って、上記構成により、層指定情報の追加、ユーザによる層指定情報の任意選択といった幅広い選択肢をユーザに提供することができる。
【００３７】
さらに、本発明に係る情報記録媒体では、上記第１情報記録層には、アプリケーションを起動するための第１起動プログラムが記録されており、上記第１起動プログラムは、上記第１情報記録層を起動することにより実行されることが好ましい。
【００３８】
上記構成によれば、上記第１情報記録層が起動することにより、アプリケーションを起動するための第１起動プログラムが自動的に実行される。これにより、ディスクサプライヤーの意図に従ったアプリケーションの起動を迅速に実行することができる。
【００３９】
なお、第１起動プログラムは、ユーザが情報記録媒体を使用するまでの何れのタイミングで第１情報記録層に記録されてもよい。
【００４０】
さらに、本発明に係る情報記録媒体では、上記アプリケーションは、自媒体に記録されたコンテンツをメニュー表示するコンテンツ視聴メニューであることが好ましい。
【００４１】
また、本発明に係る情報記録媒体では、上記アプリケーションは、自媒体に記録されているコンテンツの一覧を外部の表示装置に表示させ、表示された上記コンテンツのうち、視聴を希望するコンテンツをユーザに選択させ、選択されたコンテンツを上記表示装置に表示させるものであることが好ましい。
【００４２】
上述したように、本発明では、情報記録媒体を記録再生装置に挿入することにより、第１情報記録層が最初に起動する。そして、第１情報記録層を起動することにより、アプリケーションを起動するための第１起動プログラムが実行され、自媒体（第１あるいは第２情報記録層）に記録されたコンテンツをメニュー表示するコンテンツ視聴メニューが起動する。
【００４３】
従って、ユーザは、情報記録媒体を記録再生装置に挿入することにより、起動したコンテンツ視聴メニューを外部の表示装置で確認でき、また、視聴を希望するコンテンツを選択したうえで、その選択したコンテンツを視聴することができる。
【００４４】
なお、コンテンツ視聴メニューの一例として、ルートメニュー、ディスクメニュー、タイトルリスト、しおり、お好みシーン、ダイジェスト再生、アンケート調査などのコンテンツ視聴メニューなどを挙げることができる。
【００４５】
このように、上記構成により、さらに利便性が増した情報記録媒体をユーザに提供することができる。
【００４６】
また、本発明に係る情報記録媒体では、上記第１起動プログラムは、上記記録再生装置を制御するオペレーティングシステムであることが好ましい。
【００４７】
上記第１起動プログラムは、上記記録再生装置を制御するオペレーティングシステムであってもよい。これにより、例えば、記録再生装置がＯＳを有しないＰＣ（Personal Computer）内に実現されている場合であっても、バージョンアップされたＯＳをブートすることができる。
【００４８】
また、本発明に係る情報記録媒体では、上記第１起動プログラムは、自媒体の出荷時に、上記第１情報記録層に記録されていることが好ましい。
【００４９】
上記構成によれば、第１起動プログラムは自媒体の出荷時点で第１情報記録層に記録されている。従って、第１起動プログラムをフォーマットする作業、あるいは、情報記録媒体を最初に使用する際に、第１起動プログラムを第１情報記録層にコピーする作業は不要である。それゆえ、ユーザは、コンテンツ視聴メニュー等をすぐに使用できるため、さらに利便性が増した情報記録媒体をユーザに提供することができる。
【００５０】
また、本発明に係る情報記録媒体では、上記第１起動プログラムは、上記第１情報記録層がフォーマットされた後に、当該第１情報記録層に記録されることが好ましい。
【００５１】
上記構成によれば、第１起動プログラムは、第１情報記録層がフォーマットされた後に当該第１情報記録層に記録される。
【００５２】
上記構成により、上記情報記録媒体の出荷時に、第１起動プログラムを第１情報記録層に記録するために情報記録媒体をフォーマットする必要がなく、ディスクサプライヤーは、媒体の出荷時における労力を軽減することができる。また、第１起動プログラムが第１情報記録層に自動的に転送される設定にしておけば、ユーザは、第１起動プログラムをフォーマットする作業、あるいは、情報記録媒体を最初に使用する際に、第１起動プログラムを第１情報記録層にコピーする作業を行わなくてもよくなり、さらに利便性が増した情報記録媒体がユーザに提供される。
【００５３】
また、本発明に係る情報記録媒体では、上記第１起動プログラムは、上記第２情報記録層から上記第１情報記録層にコピーされたものであることが好ましい。
【００５４】
また、本発明に係る情報記録媒体では、上記第２情報記録層に記録されている、当該第２情報記録層を起動するための第２起動プログラムが実行されることにより、上記第２情報記録層に記録されている上記第１起動プログラムが上記第１情報記録層にコピーされることが好ましい。
【００５５】
上記構成によれば、第１起動プログラムは、再生専用の記録層である第２情報記録層のプリピットとして形成される。そして、プリピットは大量生産が容易である。それゆえ、上記構成により、上記第１起動プログラムが記録された情報記録媒体を容易に生産することができる。
【００５６】
なお、第２情報記録層から第１情報記録層への第１起動プログラムのコピーは、次のような方法で実現できる。
【００５７】
具体的には、第１情報記録層に第１起動プログラムが記録されていない場合、あるいは、第１情報記録層がフォーマットされていない場合には、第２情報記録層が起動し、第２情報記録層に記録された第２起動プログラムが実行する。これにより第１情報記録層のフォーマットが行われ、当該第１起動プログラムが第１情報記録層に記録される、という方法である。
【００５８】
上記方法は、情報記録媒体の初回使用時において、第１情報記録層のフォーマット、及び第１起動プログラムのシステム転送のシーケンスを第２情報記録層に記録しておくことにより実現する。そして、上記構成とすることで、記録再生装置のドライブ側の負担、及び、当該記録再生装置の設計上の取り決めを軽減することができるという効果を奏する。
【００５９】
また、本発明に係る情報記録媒体では、上記アプリケーションまたは上記第１起動プログラムは、外部に接続したネットワークを介して、最新版に更新されることが好ましい。
【００６０】
上記構成によれば、第１情報記録層に記録されたアプリケーションまたは第１起動プログラムを最新のバージョンに維持することができる。従って、ディスクサプライヤーの意図する更新状態（最新状態）でアプリケーションまたは第１起動プログラムを起動させることができる。
【００６１】
また、これらはセキュリティーの向上や、時節に即応した内容などを目的として内容が更新されうるため、ディスクサプライヤーやユーザ双方にとって利便性が向上する。
【００６２】
また、本発明に係る情報記録媒体では、上記第２情報記録層に記録されている情報は、自媒体の出荷時に、上記第１情報記録層に記録されていることが好ましい。
【００６３】
上記構成によれば、第２情報記録層に記録されている情報をフォーマットする作業、あるいは、情報記録媒体を最初に使用する際に、第２情報記録層に記録されている情報を第１情報記録層にコピーする作業は不要である。それゆえ、ユーザは、第１情報記録層に記録された情報（例えば、コンテンツ視聴メニュー等）をすぐに使用することができる。
【００６４】
そして、第１情報記録層と第２情報記録層に共通して含まれている情報については、当該情報を第１情報記録層から読み取る動作のみで、ユーザにコンテンツを視聴等させることが可能になる。つまり、第２情報記録層に記録された情報を読み取る動作が不要となるため、本来比較的時間を要する第１情報記録層と第２情報記録層の層間切り替えの頻度が低減するため、データアクセス時間を短縮することができる。また、第２情報記録層に記録された情報は、第１情報記録層に記録された情報が喪失した場合のバックアップ情報として扱うことができるという効果も奏する。
【００６５】
また、本発明に係る情報記録媒体では、上記第２情報記録層に記録されている情報は、上記第１情報記録層がフォーマットされた後に、当該第１情報記録層に記録されることが好ましい。
【００６６】
上記構成により、上記情報記録媒体の出荷時に、第２情報記録層に記録されている情報を第１情報記録層に記録するために情報記録媒体をフォーマットする必要がなく、ディスクサプライヤーは、媒体の出荷時における労力を軽減することができる。また、第２情報記録層に記録されている情報が第１情報記録層に自動的に転送される設定にしておけば、ユーザは、第２情報記録層に記録されている情報をフォーマットする作業、あるいは、情報記録媒体を最初に使用する際に、第２情報記録層に記録されている情報を第１情報記録層にコピーする作業を行わなくてもよくなり、さらに利便性が増した情報記録媒体がユーザに提供される。
【００６７】
そして、第１情報記録層と第２情報記録層に共通して含まれている情報については、当該情報を第１情報記録層から読み取る動作のみで、ユーザにコンテンツを視聴等させることが可能になる。つまり、第２情報記録層に記録された情報を読み取る動作が不要となるため、本来比較的時間を要する第１情報記録層と第２情報記録層の層間切り替えの頻度が低減するため、データアクセス時間を短縮することができる。また、第２情報記録層に記録された情報は、第１情報記録層に記録された情報が喪失した場合のバックアップ情報として扱うことができるという効果も奏する。
【００６８】
また、本発明に係る情報記録媒体では、上記第２情報記録層に記録されている、当該第２情報記録層を起動するための第２起動プログラムが実行されることにより、上記第２情報記録層に記録されている情報および上記第１起動プログラムが、上記第１情報記録層にコピーされることが好ましい。
【００６９】
上記構成によれば、第２情報記録層に記録されている情報及び第１起動プログラムは、再生専用の記録層である第２情報記録層のプリピットとして形成される。そして、プリピットは大量生産が容易である。それゆえ、上記構成を備えた情報記録媒体を容易に生産することができる。
【００７０】
なお、第２情報記録層に記録されている情報及び第１起動プログラムを第２情報記録層から第１情報記録層へコピーする方法は、次のような方法で実現できる。
【００７１】
具体的には、第１情報記録層に第１起動プログラム等が記録されていない場合、あるいは、第１情報記録層がフォーマットされていない場合には、第２情報記録層が起動し、第２情報記録層に記録されている、第２情報記録層を起動するための第２起動プログラムが実行する。これにより第１情報記録層のフォーマットが行われ、第２情報記録層に記録されている情報及び第１起動プログラムが第１情報記録層に記録される、という方法である。
【００７２】
上記方法は、情報記録媒体の初回使用時において、第１情報記録層のフォーマット、及び第２情報記録層に記録されている情報と第１起動プログラムのシステム転送のシーケンスを第２情報記録層に記録しておくことにより実現する。そして、上記構成とすることで、記録再生装置のドライブ側の負担、及び、当該記録再生装置の設計上の取り決めを軽減することができるという効果を奏する。
【００７３】
また、本発明に係る情報記録媒体では、上記第１起動プログラムおよび上記第２起動プログラムは同一であることが好ましい。
【００７４】
上記構成によれば、第２情報記録層に記録されている第１起動プログラムは、再生専用の記録層である第２情報記録層のプリピットとして形成される。そして、プリピットは大量生産が容易である。それゆえ、上記第１起動プログラムおよび上記第２起動プログラムが同一であれば、プリピットを共通化でき、情報記録媒体の生産をより容易なものとすることができる。また、上記第１起動プログラムおよび上記第２起動プログラムを同一のものとすることで、予め第１起動プログラムと第２起動プログラムとが別の内容で記録されている場合に比べて、第１情報記録層の容量を節約できる。また、使用当初の起動プログラムが共通であれば、ユーザは違和感なく使用することができる。
【００７５】
さらに、本発明に係る記録再生装置では、上記の課題を解決するために、情報を追記録することが可能な又は情報を書き換えることが可能な第１情報記録層と、情報を読み出すことのみ可能な第２情報記録層と、を備えた情報記録媒体に対して情報の記録または再生を行う記録再生装置であって、上記情報記録媒体が挿入されたときに、最初に起動する情報記録層として、上記第１情報記録層を上記第２情報記録層に優先して指定するための層指定情報を取得する取得手段と、上記取得手段が取得した上記層指定情報が示す上記第１情報記録層を起動層として認識する認識手段と、を備えることを特徴としている。
【００７６】
さらに、本発明に係る記録再生装置の制御方法では、情報を追記録することが可能な又は情報を書き換えることが可能な第１情報記録層と、情報を読み出すことのみ可能な第２情報記録層と、を備えた情報記録媒体に対して情報の記録または再生を行う記録再生装置の制御方法であって、上記情報記録媒体が挿入されたときに、最初に起動する情報記録層として、上記第１情報記録層を上記第２情報記録層に優先して指定するための層指定情報を取得する取得ステップと、上記取得ステップにて取得した上記層指定情報が示す上記第１情報記録層を起動層として認識する認識ステップと、を含むことを特徴としている。
【００７７】
上記構成によれば、記録再生装置に情報記録媒体が挿入されたときに、取得手段（取得ステップ）が層指定情報を取得し、認識手段（認識ステップ）が、当該取得した層指定情報が示す情報記録層である第１情報記録層を第２情報記録層に優先して起動層として認識する。
【００７８】
これにより、記録再生装置（及び、その制御方法）は、情報記録媒体が記録再生装置に挿入されたときに、最初に起動する情報記録層である第１情報記録層を指定することができるので、情報記録媒体の挿入時に、ディスクサプライヤーまたはユーザが起動させたいと希望する第１情報記録層を起動させることが可能となる。
【００７９】
さらに、本発明に係る記録再生装置では、上記第１情報記録層に、ユーザの指示に基づき設定された層指定情報を書き込む書き込み手段を備えることが好ましい。
【００８０】
上記構成によれば、書き込み手段が、例えばユーザの指示に応じて層指定情報を書き込むのであれば、ユーザが最初に起動させることを希望する情報記録層である第１情報記録層を指定することができる。すなわち、この場合には、ユーザの意図に応じて情報記録媒体に記録されている層指定情報を変更することが可能となる。
【００８１】
また、情報記録媒体に予め層指定情報が記録されていない場合であっても、次の情報記録媒体の挿入時には、記録再生装置が指定した第１情報記録層からの起動が可能となる。
【００８２】
さらに、本発明に係る記録再生装置では、上記書き込み手段が書き込む層指定情報は、起動層である上記第１情報記録層のボリュームパックを指定するための情報、上記第１情報記録層の層種類を指定するための情報、または、上記第１情報記録層の層番号を指定するための情報であることが好ましい。
【００８３】
上記構成によれば、ボリュームパックを指定するための情報を用いて起動層を認識することができる。つまり、複数の論理的な管理単位であるボリュームパックを有する情報記録層において、ボリュームパックを指定するための情報を用いて１つのボリュームパックを指定することにより、記録再生装置が制御可能な管理単位である情報記録層群を指定することが可能となる。このため、例えば、ユーザが使用したい機能をより早く起動することが可能となる。
【００８４】
また、記録再生装置は、層種類を用いて起動層を認識することができる。すなわち、層種類に基づく起動層へのアクセスを行うことが可能となる。例えば、再生専用の情報記録層（ＲＯＭ層）が１層、書き換え可能な情報記録層（ＲＥ層）が１層の２層構造を有する情報記録媒体の場合には、確実に（一意的に）起動層であるＲＥ層を指定することができる。
【００８５】
また、同種類の情報記録層を複数有する場合（例えばＲＯＭ層が２層、ＲＥ層が２層の４層構造）には、ＲＥ層を示す層指定情報によって、再生光入射側から最も遠い情報記録層に近いＲＥ層で、かつ、情報が記録可能な領域に対してアクセスを行う。従って、同種類の情報記録層を複数有する場合であっても、層種類によって、最初に起動させたい情報記録層として第１情報記録層を一意に決めることも可能である。
【００８６】
さらに、層番号を用いて起動層へのアクセスを行う場合には、上記のような４層構造を有する情報記録媒体に対しても、より確実に（一意的に）、最初に起動させる第１情報記録層を起動層として指定することができる。特に、それぞれの情報記録層で異なるアプリケーションを有している場合に、いずれのアプリケーションを最初に起動させるかを確実に指定することが可能となる。
【００８７】
さらに、本発明に係る記録再生装置では、上記取得手段は、自装置の格納部から上記層指定情報を取得することが好ましい。
【００８８】
上記構成によれば、例えば、情報記録媒体に層指定情報が予め記録されていない場合であっても、自装置の格納部に格納された層指定情報を用いて起動層を指定することができる。また、自装置の格納部に格納された層指定情報を情報記録媒体に記録しておけば、次の情報記録媒体の挿入時に、最初に起動させる第１情報記録層を指定することができる。
【００８９】
さらに、本発明に係る記録再生装置では、上記格納部は、上記層指定情報を情報記録媒体ごとに対応付けて格納していることが好ましい。
【００９０】
上記構成によれば、情報記録媒体が挿入されたときのディスク情報と、層指定情報と、を対応付けて管理することにより、例えば現在挿入されている情報記録媒体と同じ情報記録媒体が次回挿入されたときに、ディスク情報を読み出すと、格納部に格納された層指定情報が示す情報記録層を起動させることが可能となる。また、記録再生装置において管理されるディスク情報は、固有の情報記録媒体ごとであっても良いし、同種の総種類から構成される情報記録媒体ごとであっても良い。
【００９１】
さらに、本発明に係る記録再生装置では、上記格納部に格納されている層指定情報を書き換える書き換え手段を備えることが好ましい。
【００９２】
上記構成によれば、例えば、ユーザの指示に応じて格納部に格納された層指定情報を書き換える場合には、当該層指定情報をユーザ所望の層指定情報が示す第１情報記録層を起動層として指定することができる。このため、記録再生装置は、次に情報記録媒体が挿入されたときには、当該情報記録媒体から層指定情報を取得しなくても（取得できない場合であっても）、書き換えられた層指定情報を参照することにより、ユーザが希望する第１情報記録層を起動層として指定することが可能となる。
【００９３】
なお、上記記録再生装置は、コンピュータによって実現してもよく、この場合には、コンピュータを上記各手段として動作させることにより上記記録再生装置をコンピュータにて実現させる上記記録再生装置の制御プログラム、およびそれを記録したコンピュータ読み取り可能な記録媒体も、本発明の範疇に入る。
【発明の効果】
【００９４】
本発明に係る情報記録媒体は、以上のように、自媒体に対して情報の記録または再生を行う記録再生装置に挿入された時に、最初に起動する情報記録層として、上記第１情報記録層を上記第２情報記録層に優先して指定するための層指定情報が記録されている構成である。
【００９５】
また、本発明に係る記録再生装置は、以上のように、上記情報記録媒体が挿入されたときに、最初に起動する情報記録層として、上記第１情報記録層を上記第２情報記録層に優先して指定するための層指定情報を取得する取得手段と、上記取得手段が取得した上記層指定情報が示す上記第１情報記録層を起動層として認識する認識手段と、を備える構成である。
【００９６】
また、本発明に係る記録再生装置の制御方法は、以上のように、上記情報記録媒体が挿入されたときに、最初に起動する情報記録層として、上記第１情報記録層を上記第２情報記録層に優先して指定するための層指定情報を取得する取得ステップと、上記取得ステップにて取得した上記層指定情報が示す上記第１情報記録層を起動層として認識する認識ステップと、を含む構成である。
【００９７】
それゆえ、最初に起動する情報記録層として、情報を追記録することが可能な又は情報を書き換えることが可能な情報記録層が、情報を読み出すことのみ可能な情報記録層に優先して指定されるため、当該情報記録媒体が記録再生装置に挿入されたときに、ディスクサプライヤーの意図する最新状態での起動が可能となるという効果を奏する。
【図面の簡単な説明】
【００９８】
【図１】本発明の一実施形態に係る光ディスクの概略構成を示す図であり、（ａ）は、再生光入射側から見たときの光ディスクを示す図であり、（ｂ）は、光ディスクの各記録層の構成例を示す図である。
【図２】本発明の一実施形態に係る光ディスク装置または光ディスクに格納された各種情報を示すものであり、（ａ）は、記録エリアに記録されている層種類情報の一例であり、（ｂ）は、ドライブ側格納部に格納された記録層−記録エリア対応テーブルの一例であり、（ｃ）は、層指定情報（Default Volume指定情報）の構造の一例を示す図である。
【図３】本発明の一実施形態に係る光ディスク装置の全体の概要構成を示すブロック図である。
【図４】本発明の一実施形態に係る光ディスク装置の要部構成を示すブロック図である。
【図５】本発明の一実施形態に係る光ディスク装置の処理の流れを示す一例であって、光ディスクが挿入された際の起動処理時における、ドライブユニットとホストユニットとの間でのコマンドのやり取りを示すタイミングチャートである。
【図６】本発明の一実施形態に係る光ディスク装置において用いられる「READ DEFAULT VOLUME」コマンドの一例を示すものであり、（ａ）は、ホストユニットから送信される「READ DEFAULT VOLUME」コマンドの一例であり、（ｂ）は、ドライブユニットから返却されるDefault Volume情報（レスポンスデータ）を示す図である。
【図７】本発明の一実施形態に係る光ディスク装置において用いられる「READ DISC STRUCTURE」コマンドにより返却されるNew Hybrid Disc Information情報の一例を示す図である。
【図８】本発明の一実施形態に係る光ディスク装置において用いられる「SET DEFAULT VOLUME」コマンドの一例を示すものである。
【図９】本発明の一実施形態に係る光ディスク装置の処理の流れを示すフローチャートである。
【図１０】本発明の他の一実施形態に係る光ディスクの層構造の一例を示すものである。
【図１１】本発明の他の一実施形態に係る光ディスクの各層に記録されている層番号及びボリュームパック番号の一例を示す図である。
【図１２】本発明の他の一実施形態に係る光ディスクにおける層指定情報の構造の一例を示す図である。
【図１３】本発明の他の一実施形態に係る光ディスク装置において用いられるコマンドの一例を示すものであり、（ａ）は、図５に示すＳ１０の処理においてホストユニットから送信される「READ DEFAULT VOLUME」コマンドの一例であり、（ｂ）は、ドライブユニットから返却されるDefault Volume情報（レスポンスデータ）を示す図である。
【図１４】本発明の他の一実施形態に係る光ディスク装置において用いられる、図５に示すＳ１７の処理においてホストユニットから送信される「SET DEFAULT VOLUME」コマンドの一例を示す図である。
【図１５】本発明の他の一実施形態に係る光ディスクの変形例を示すものであり、当該光ディスクの層構造の一例を示すものである。
【図１６】図１５に示す光ディスクの各層に記録されている層番号及びボリュームパック番号の一例を示す図である。
【図１７】図１５に示す光ディスクが有する記録エリアの構造（層指定情報の構造）の一例を示すものである。
【発明を実施するための形態】
【００９９】
〔実施の形態１〕
以下、本発明の一実施の形態について、図面を参照しながら説明する。説明の便宜上、図面に示した部材と同一の機能を有する部材については、同一の符号を付し、その説明を省略する。
【０１００】
なお、以下の説明において、光ディスク（情報記録媒体）１００が有する層として、書き換え可能な記録層をＲＥ（RE-writable）層と呼び、再生専用の記録層をＲＯＭ（Read Only Memory）層と呼び、追記録可能な記録層をＲ（Recordable）層と呼ぶ。
【０１０１】
また、情報記録媒体（記憶媒体）における論理的な管理上の単位を「ボリューム」という。単層からなる光ディスクの場合、一般的には１つのボリュームとして管理される。また、２層からなる光ディスクについても、従来の２層ＤＶＤのように２層のデータを一元管理する場合は１つのボリュームとして管理される。２層からなる光ディスクにおいて、各層のデータを独立して管理する場合には、２つのボリュームとなる。
【０１０２】
また、物理的な観点では「記録層（情報記録層）」を「レイヤー」と表現することもある。情報記録媒体には、「記録層」すなわち「レイヤー」が複数存在してもよい。さらに、ＲＥ層およびＲ層を総称して「記録可能な記録層」と表現することもある。本願においては、１層からなる１種類の記録層を１ボリュームとして管理する場合を主に想定しているため、上記「ボリューム」を「レイヤー」と同様に扱うこともある。また、本願の技術思想としてＲ層もＲＥ層と同様に使用可能であるため、本願ではこれ以降ＲＥ層で代表して説明することにする。
【０１０３】
〔光ディスク装置１の概略構成〕
まず、図３に基づき、本発明の一実施形態である光ディスク装置（記録再生装置）１の全体の概略構成について説明する。図３は、光ディスク装置１の全体の概要構成を示すブロック図である。
【０１０４】
図示のように、光ディスク装置１は、ＤＶＤ、ＢＤなどの光ディスク１００に対して情報の記録または再生を行うものであり、ドライブユニット２およびホストユニット３を備えている。
【０１０５】
ドライブユニット２は、光ディスク１００に記録されている情報の読み出し、または、光ディスク１００に情報を記録するものである。また、ホストユニット３は、主として、ドライブユニット２が備えるＡＴＡＰＩ  Ｉ/Ｆ２１を介して、例えば光ディスク１００に対する再生制御および記録制御を行うための指示をドライブユニット２に与えるものである。
【０１０６】
ドライブユニット２は、主として、ディスク装填認識部６、光ピックアップ１２、ドライブ側制御部２０、ＡＴＡＰＩ  Ｉ/Ｆ２１およびドライブ側格納部（格納部）２７を備えている。また、記録再生回路群１０は、主として、ピックアップ駆動回路１３、レーザ駆動回路１４および再生回路１５を備えている。
【０１０７】
ドライブユニット２では、回転する光ディスク１００の図示しないトラックへ、ドライブ側制御部２０がピックアップ駆動回路１３を介して光ピックアップ１２を移動させるようになっている。
【０１０８】
光ピックアップ１２には、光ヘッド１１が設けられている。そして、ドライブ側制御部２０がレーザ駆動回路１４を介して記録条件を設定し、光ヘッド１１から記録用のレーザビームを光ディスク１００の記録部位に照射することによって、光ディスク１００のトラックに情報が記録されるようになっている。
【０１０９】
また、光ディスク装置１は、ドライブ側制御部２０がピックアップ駆動回路１３を介して光ピックアップ１２を光ディスク１００の記録部位へ移動させる。そして、ドライブ側制御部２０がレーザ駆動回路１４を介して再生条件を設定し、光ヘッド１１から再生用のレーザビームを光ディスク１００に照射するようになっている。
【０１１０】
光ヘッド１１が検出した反射光は、再生回路１５にて再生信号に変換され、ドライブ側制御部２０に入力される。これにより、光ディスク装置１は、光ディスク１００のトラック（複数のセクタからなる）に記録された情報を再生するようになっている。
【０１１１】
また、光ディスク装置１には、ディスク装填認識部６が設けられている。ディスク装填認識部６は、光ディスク１００の装填を検出するためのものであり、例えば、各種センサが例示できるが、光ディスク１００の装填を検出できるものであれば、どのようなセンサを用いてもよい。また、ディスク装填認識部６は、検出した結果を検出信号としてドライブ側制御部２０へ出力するようになっている。
【０１１２】
また、ＡＴＡＰＩ  Ｉ/Ｆ２１は、ＡＴＡＰＩ（Attachment Packet Interface）に準拠した光ディスク１００に記録されたコンテンツを再生するためのものであり、ドライブユニット２とホストユニット３との間のデータ転送（情報のやり取り）に用いられる。以下では、ＡＴＡＰＩ  Ｉ/Ｆ２１は、ドライブユニット２が備えているものとして説明するが、これに限らず、ドライブユニット２およびホストユニット３とは独立して光ディスク装置１に備えられていてもよい。
【０１１３】
なお、ドライブ側制御部２０の具体的な構成およびドライブ側格納部２７については、後述する。
【０１１４】
〔光ディスク装置１のより詳細な構成〕
次に、図４に基づき、光ディスク装置１の要部構成、すなわちドライブユニット２およびホストユニット３の具体的な構成について説明する。図４は、本発明の一実施形態である光ディスク装置１の要部構成を示すブロック図である。なお、ディスク装填認識部６について上述したので、ここではその説明を省略する。
【０１１５】
図示のように、ドライブユニット２のドライブ側制御部２０は、主として、ディスク装填確認部２２、層情報取得部（取得手段）２３、起動層認識部（認識手段）２４、層情報書込部（書き込み手段）２５および記録再生回路群制御部２６を備え、例えば制御プログラムを実行することにより、ドライブユニット２を構成する部材を制御するものである。ドライブ側制御部２０は、ドライブユニット２に備えられたドライブ側格納部２７に格納されているプログラムを、例えばＲＡＭ（Random Access Memory）等で構成される一次記憶部（不図示）に読み出して実行することにより、光ディスク１００に対するフォーカス制御、トラッキング制御などの各種処理を実行する。
【０１１６】
ディスク装填確認部２２は、ディスク装填認識部６から検出信号を受信しているか否かにより、光ディスクが挿入されたか否かを確認するものである。
【０１１７】
層情報取得部２３は、主に、光ディスクの管理領域またはリードイン領域から各種情報を取得するものである。例えば、層情報取得部２３は、管理領域からディスク情報を取得することにより、光ディスクがハイブリッドディスクであるか否かを確認するものである。これにより、光ディスク装置１が、ハイブリッドディスクである光ディスク１００が装填されたか否かを確認することができる。
【０１１８】
また、層情報取得部２３は、光ディスク１００が挿入されたときに、最初に起動する記録層を指定するための層指定情報を取得するものである。
【０１１９】
例えば、層情報取得部２３は、光ディスクがハイブリッドディスクであった場合に、リードイン領域１０２の特定領域（書き込み可能な領域）内に層指定情報が存在するか否かの確認を行うものである。言い換えれば、層情報取得部２３は、書き換え可能な記録層（ＲＥ層）から層指定情報を取得するものといえる。これにより、以前にユーザの指示に応じて書き込まれた層指定情報を取得した場合には、その層指定情報が示す記録層を起動させることができるので、前回挿入されたときにユーザが希望した記録層を優先的に起動させることができる。
【０１２０】
なお、ここでいう「起動」とは、ユーザーインターフェイスとなるディスク管理アプリケーションを実行するためのＯＳの起動を指し、起動層が指定された上でその層が再生されてＯＳが実行（起動）される。一般的には、ＯＳの起動後にディスク管理アプリケーションが自動実行される。ディスク管理アプリケーションとしては、例えばルートメニュー、ディスクメニュー、タイトルリストなどと呼ばれるコンテンツ視聴メニューが挙げられる。また、光ディスク装置１を制御するＯＳのブートも「起動」に含まれるものとする。
【０１２１】
また、層情報取得部２３は、管理領域１０１に記録されている情報（例えば層指定情報）を読み出すものである。言い換えれば、層情報取得部２３は、光ディスク１００の構造を示す識別情報が記録されている管理領域１０１から層指定情報を取得するものといえる。これにより、管理領域１０１に予め記録されている層指定情報を読み出すことができるので、ディスクサプライヤーが起動させたい記録層を最初に起動させることができる。
【０１２２】
さらに、層情報取得部２３は、光ディスク装置１のホスト側格納部３５（またはドライブ側格納部２７）から層指定情報を取得するものであってもよい。例えば、層情報取得部２３は、光ディスク１００の管理領域１０１に層指定情報が予め設定されていないことが確認できた場合に、ホスト側制御部３１がホスト側格納部３５に予め格納しておいた層指定情報を読み出すことによって、当該層指定情報を取得する。層情報取得部２３が取得した層指定情報を、層情報書込部２５が、光ディスク１００の特定領域に書き込むことにより、次に光ディスク１００が挿入されたときに、最初に起動させる記録層を指定することができる。
【０１２３】
起動層認識部２４は、層情報取得部２３が取得した層指定情報が示す記録層を、最初に起動させる起動層として認識するものである。これにより、光ディスク装置１は、光ディスク１００の挿入時に、最初に起動する記録層を指定することができるので、ディスクサプライヤーまたはユーザが起動させたいと希望する記録層を起動させることが可能となる。
【０１２４】
層情報書込部２５は、層情報取得部２３がホストユニット３から送信された層指定情報を取得したときに、当該層指定情報を、上記特定領域に書き込む（または書き換える）ものである。言い換えれば、層情報書込部２５は、記録可能な記録層（ＲＥ層またはＲ層）に、ユーザの指示に基づく設定された層指定情報を書き込むものであるといえる。これにより、層情報書込部２５が例えばユーザの指示に応じて層指定情報を書き込むのであれば、ユーザが最初に起動させることを希望する記録層を指定することができる。また、上記のように、光ディスク１００に予め層指定情報が記録されていない場合であっても、次の挿入時には、光ディスク装置１が指定した記録層からの起動が可能となる。
【０１２５】
なお、層情報書込部２５は、書き換え可能な記録層（ＲＥ層）に記録されている層指定情報を書き換えるものであるともいえる。すなわち、層情報書込部２５は、光ディスク１００に層指定情報が記録されていない場合には、ユーザの指示に基づくあるいは予めドライブ側格納部２７に格納された層指定情報を書き込む。一方、層情報書込部２５は、ＲＥ層（特定領域）に既に層指定情報が書き込まれている場合には、その層指定情報を、ユーザの指示に基づくあるいは予めドライブ側格納部２７に格納された層指定情報に書き換える。
【０１２６】
記録再生回路群制御部２６は、層情報取得部２３、起動層認識部２４および層情報書込部２５の指示により、記録再生回路群１０を駆動させるものである。
【０１２７】
また、ドライブ側格納部２７は、ドライブ側制御部２０が実行する（１）各部の制御プログラム、（２）ＯＳプログラム、（３）アプリケーションプログラム、および、（４）これらプログラムを実行するときに読み出す各種データを記録するものである。ドライブ側格納部２７は、例えばＲＯＭ（Read Only Memory）フラッシュメモリなどの不揮発性の記憶装置によって構成されるものである。なお、上述した一次記憶部は、ＲＡＭなどの揮発性の記憶装置によって構成されているが、本実施形態では、ドライブ側格納部２７が一次記憶部の機能も備えているものとして説明する場合もある。ドライブ側格納部２７は、例えば記録層−記録エリア対応テーブルＴ１や層指定情報などを格納している。
【０１２８】
また、ホストユニット３は、主として、ホスト側制御部３１、操作部３２、表示部（表示装置）３３、送受信部３４およびホスト側格納部３５（格納部）を備えている。
【０１２９】
ホスト側制御部３１は、主として、コマンド制御部３１１、表示制御部３１２、通信制御部３１３、再生制御部３１４および記録制御部３１５を備え、例えば制御プログラムを実行することにより、ホストユニット３を構成する部材を制御したり、ＡＴＡＰＩ  Ｉ/Ｆ２１を介して、ドライブユニット２に指示を与えるものである。ホスト側制御部３１は、ホストユニット３に備えられたホスト側格納部３５に格納されているプログラムを、例えばＲＡＭ（Random Access Memory）等で構成される一次記憶部（不図示）に読み出して実行することにより、操作部３２へのユーザ操作に対応した処理、表示部３３への表示に関する処理、送受信部３４がネットワークと情報のやり取りを行う際の処理などの各種処理を実行する。
【０１３０】
コマンド制御部３１１は、ＡＴＡＰＩコマンドを発行して、ドライブユニット２の各部への指示を行うと共に、ドライブユニット２から返却されたＡＴＡＰＩコマンドを解析して、次の処理を、ドライブユニット２またはホストユニット３の各部に指示するものである。
【０１３１】
表示制御部３１２は、表示部３３を制御するものであり、例えば光ディスク１００から読み出した層指定情報が最初に起動を希望する記録層を示すものであるかを、ユーザに確認させるための画像を作成するものである。
【０１３２】
通信制御部３１３は、送受信部３４を介して、外部のネットワークと通信を行うものである。通信制御部３１３は、例えば光ディスク１００のＲＯＭ層に記録されたアプリケーションのバージョンアップ情報を、送受信部３４を介してネットワーク上から取得するものである。
【０１３３】
再生制御部３１４は、光ディスク１００に記録された情報を読み出すことにより、当該情報の再生を制御するものである。このとき、再生制御部３１４は、コマンド制御部３１１に指示を与えることにより、情報再生時に必要なＡＴＡＰＩコマンドを発行させ、ドライブユニット２を制御する。
【０１３４】
記録制御部３１５は、光ディスク１００のＲＥ層（またはＲ層）に情報を記録するために、主に、コマンド制御部３１１を制御するものである。例えば、コマンド制御部３１１が層指定情報またはバージョンアップ情報を光ディスク１００に記録するときに、当該コマンド制御部３１１を制御するものである。以下では、コマンド制御部３１１が独自に層指定情報またはバージョンアップ情報を光ディスク１００に記録させるためのＡＴＡＰＩコマンドを発行するものとして説明する。
【０１３５】
なお、ホスト側制御部（書き換え手段）３１は、光ディスク装置１のドライブ側格納部２７に格納されている層指定情報を書き換える構成であってもよい。ホスト側制御部３１は、光ディスク１００から読み取られた層指定情報、または、ドライブ側格納部２７に予め格納されている層指定情報を、例えばユーザの指示に応じて書き換える場合には、当該層指定情報をユーザ所望の層指定情報に書き換えることができる。従って、光ディスク装置１は、次に光ディスク１００が挿入されたときには、光ディスク１００から層指定情報を取得しなくても（取得できない場合であっても）、書き換えられた層指定情報を参照することにより、ユーザが希望する記録層を起動層として指定することが可能となる。
【０１３６】
また、操作部３２は、ユーザが、光ディスク装置１に各種の操作命令を入力するためのものであり、例えば、操作ボタンとそのインターフェースなどが挙げられる。
【０１３７】
表示部３３は、表示制御部３１２に制御されることにより、例えば挿入された光ディスク１００の各記録層のどの層を起動させるかをユーザが選択できるような画像を表示するなど、光ディスク装置１の制御に必要な情報を表示するものである。表示部３３は、例えば液晶パネルにより構成されているが、これに限らず、有機ＥＬ（Electro Luminescence）パネルなどが用いられていてもよい。
【０１３８】
送受信部３４は、通信制御部３１３に制御されることにより、外部のネットワークから取得した情報を通信制御部３１３に送信するものである。送受信部３４は、例えば外部装置との通信を確立するための通信媒体として、赤外線通信、ＺｉｇＢｅｅ（登録商標）、ＵＷＢ（ultra wide band）、Ｂｌｕｅｔｏｏｔｈ（登録商標）、ＬＡＮ（local area network）、Ｗｉｂｒｅｅ等が用いることが可能な物理媒体である。
【０１３９】
ホスト側格納部３５は、ホスト側制御部３１が実行する（１）各部の制御プログラム、（２）ＯＳプログラム、（３）アプリケーションプログラム、および、（４）これらプログラムを実行するときに読み出す各種データを記録するものである。ホスト側格納部３５は、例えばＲＯＭ（Read Only Memory）フラッシュメモリなどの不揮発性の記憶装置によって構成されるものである。なお、上述した一次記憶部は、ＲＡＭなどの揮発性の記憶装置によって構成されているが、本実施形態では、ホスト側格納部３５が一次記憶部の機能も備えているものとして説明する場合もある。ホスト側格納部３５は、例えば層種類情報や層指定情報などを格納している。
【０１４０】
なお、ホスト側格納部３５（またはドライブ側格納部２７）は、層指定情報を光ディスク１００ごとに対応付けて格納していてもよい。この場合、光ディスク１００が挿入されたときのディスク情報と、層指定情報と、を対応付けて管理することにより、例えば次に同じ光ディスク１００が挿入されたときに、ディスク情報を読み出した時点で、ホスト側格納部３５に格納された層指定情報が示す記録層を起動させることが可能となる。光ディスク装置１をこのような処理を行うことが可能な設定にしておく場合には、光ディスク１００が挿入されてからの起動処理時間を短縮することが可能となる。
【０１４１】
〔光ディスク１００の概略構成〕
次に、図１に基づき、本発明の一実施形態である光ディスク１００の概略構成について説明する。図１は、本発明の一実施形態である光ディスク１００の概略構成を示す図であり、図１（ａ）は、再生光入射側から見たときの光ディスク１００を示す図であり、図１（ｂ）は、光ディスク１００の各記録層の構成例を示す図である。
【０１４２】
まず、図１（ａ）に示すように、光ディスク１００は、その内周側に、管理領域１０１およびリードイン領域１０２を備えている。
【０１４３】
管理領域１０１は、光ディスク１００の最内周で、かつ、再生光入射側から最も遠い記録層（ＲＥ層）に設けられた領域であり、トラッキング制御が不要な領域またはフォーカス制御のみでアクセス可能なバーコード状の記録領域（管理領域記録領域）である。光ディスク装置１は、光ディスク１００が挿入されると、まず管理領域１０１の情報を読み取りにいくように設計されている。また、管理領域１０１は、製造時にのみ情報の書き込みを行うことが可能な領域（すなわち書き換え不可能な領域）である。管理領域１０１は、本実施形態では、ＢＣＡ（Burst Cutting Area）を指す。
【０１４４】
管理領域１０１には、主として、光情報記録媒体の構造を示す識別情報が記録される。識別情報の具体例としては、光ディスク１００の記録層のタイプ（再生専用型、追記（ライトワンス）型、書き換え型）、光ディスク１００のサイズ、光ディスク１００のバージョン（速度等に関連）、サーボの極性、記録マークの極性および光ディスク１００固有の番号などが挙げられるが、管理領域１０１における各識別情報の記録順序（又は配置方法）は、任意であってよい。なお、これらの記録順序は、通常規格などによって決められている。
【０１４５】
リードイン領域１０２は、光ディスク１００において管理領域１０１の外周側に、記録層ごとに設けられた領域であり、光ディスク装置１が各層に対する処理を行う際に、最初に再生光が照射される（最初に情報が読み出される）記録領域である。また、リードイン領域１０２には、製造時にのみ情報の書き込みを行うことが可能な領域（すなわち書き換え不可能な領域）と、光ディスク装置１に挿入された後に情報の書き換えを行うことが可能な領域とが設けられている。リードイン領域１０２には、例えば光ディスク１００への記録・再生の標準条件、各層に対する光ディスク装置１のアクセスの許可不許可（アクセス制限）を示す情報、製造時の欠陥および使用中にできた欠陥の位置を示す情報などが記録されている。なお、この欠陥の位置を示す情報は、リードイン領域１０２およびリードアウト領域１０４内の欠陥管理領域に記録される。
【０１４６】
また、管理領域１０１、または、リードイン領域１０２の書き換え不可能な領域には記録エリアＡ１〜Ａ８（図２（ａ）を参照）が設けられており、当該記録エリアのそれぞれに層種類情報が記録されている。管理領域１０１およびリードイン領域１０２は、ディスクの最内周に設けられているので、当該領域に層種類情報を記録しておけば、光ディスク装置１が当該層種類情報を簡単に、かつ、一括して取得することを可能にする。
【０１４７】
さらに、管理領域１０１、または、リードイン領域１０２の書き換え不可能な領域には記録エリアＢ０〜Ｂ７（図２（ｃ）を参照）が設けられており、当該記録エリアには、光ディスク装置１に光ディスク１００が挿入されたときに最初に起動する記録層を指定するための層指定情報が記録されている。すなわち、管理領域１０１、および、リードイン領域１０２の書き換え不可能な領域の何れの領域に、層指定情報が記録されていてもよい。そして、記録エリアＡ１〜Ａ８、及び記録エリアＢ０〜Ｂ７はプリピットとして書き換え不可能な領域に記録され、そのプリピットは大量生産が可能である。それゆえ、ディスクサプライヤーは、記録エリアＡ１〜Ａ８、及び記録エリアＢ０〜Ｂ７が記録された光ディスク１００を容易に生産することができる。
【０１４８】
次に、図１（ｂ）は、再生光入射側から最も遠い記録層から記録層Ｌ０、Ｌ１、・・・と称する場合、記録層Ｌ０（第１情報記録層）がＲＥ層、記録層Ｌ１（第２情報記録層）がＲＯＭ層である場合の光ディスク１００の構成を示している。図示のように、記録層Ｌ０（ＲＥ層）には、管理領域１０１、リードイン領域１０２、ユーザデータ領域１０３およびリードアウト領域１０４が設けられている。なお、管理領域１０１およびリードイン領域１０２については上述したので、ここではその説明を省略する。
【０１４９】
ユーザデータ領域１０３は、ＯＳなどのアプリケーションやコンテンツなど、様々な情報が記録されている（または記録可能な）領域である。例えばＲＯＭ層のユーザデータ領域１０３には、ディスクサプライヤーが用意したアプリケーションやコンテンツなどが予め記録されており、ＲＥ層のユーザデータ領域１０３には、ユーザが録画したコンテンツや、アプリケーションのバージョンアップ情報など、光ディスク装置１により記録される情報が記録される。
【０１５０】
リードアウト領域１０４は、通常、光ディスク１００の各層の最外周側に設けられており、前述した欠陥の位置を示す情報などが記録されている。
【０１５１】
なお、図１（ｂ）では、記録層Ｌ０およびＬ１だけを図示しているが、再生光入射側にさらに記録層を設けた構成であってもよい。本実施形態では、光ディスク１００は、層種類情報が記録される記録エリアＡ１〜Ａ８が用意されているため、最大８層の記録層を有していてもよい。
【０１５２】
以上より、光ディスク１００は、自媒体に対して情報の記録または再生を行う光ディスク装置１に挿入されたときに、最初に起動する記録層を指定するための層指定情報が記録されている。また、光ディスク１００は、光ディスク１００の構造を示す識別情報が記録されている管理領域１０１、または、書き換え可能な記録層（ＲＥ層）に、光ディスク装置１に光ディスク１００が挿入されたときに最初に起動する記録層を指定するための層指定情報が記録されていてもよい。
【０１５３】
これにより、複数の記録層を有する光ディスク１００が光ディスク装置１に挿入されたときに、いずれの記録層を起動層とするかという情報を予め光ディスク１００に記録しておくことが可能となる。また、ディスクサプライヤーが光ディスク１００ごとに層指定情報を記録することができるので、光ディスク１００を挿入したときに、ディスクサプライヤーの意図する記録層を最初に起動させることが可能となる。つまり、ディスクサプライヤーにとってはディスクサプライヤー所望の機能をより早く動作させることが可能となる。
【０１５４】
さらに、例えばユーザの指示に応じた層指定情報が記録されている場合には、ユーザが最初に起動させることを希望する記録層を指定させることができる。すなわち、この場合には、ユーザの意図する記録層を最初に起動させることが可能となる。つまり、ユーザにとってはユーザ所望の機能をより早く動作させることが可能となる。
【０１５５】
つまり、光ディスク１００は、光ディスク装置１への挿入時に、少なくともディスクサプライヤーの意図する記録層を最初に起動させることができる。つまり、少なくともディスクサプライヤーにとっては、少なくともディスクサプライヤー所望の機能をより早く動作させることができる。
【０１５６】
〔層種類情報および層指定情報について〕
次に、図２（ａ）〜（ｃ）に基づき、光ディスク１００に記録されている層種類情報および層指定情報と、光ディスク装置１に記録されている記録層−記録エリア対応テーブルＴ１とについて説明する。図２は、本発明の一実施形態に係る光ディスク装置または光ディスクに格納された各種情報を示すものである。なお、ここでは、光ディスク１００の記録層が、記録層Ｌ０〜Ｌ７の８層である場合について説明する。
【０１５７】
図２（ａ）は、記録エリアＡ１〜Ａ８に記録されている層種類情報の一例である。本実施形態では、層種類情報は、「０１」がＲＯＭ層、「１０」がＲＥ層、「１１」がＲ層を示すものとして説明するが、２ビット情報と層の種類とは任意に対応付けることができる。なお、「００」は、層なし、すなわち、記録層が存在しないことを示すものとする。
【０１５８】
図２（ａ）において、記録エリアＡ１が「１０」となっているのは、記録エリアＡ１に対応する記録層の種類が、ＲＥ層であることを示している。同様に、記録エリアＡ２〜Ａ４が「０１」となっているのは、記録エリアＡ２〜Ａ４に対応する記録層の種類が、ＲＯＭ層であることを示している。さらに、記録エリアＡ５〜Ａ８が「００」となっているのは、記録エリアＡ５〜Ａ８に対応する記録層は存在していないことを示している。
【０１５９】
つまり、光ディスク装置１は、記録エリアＡ１〜Ａ８にアクセスして層種類情報を読み取ることにより、図２（ａ）に示す光ディスク１００の記録層の層数が４であることがわかる。
【０１６０】
次に、図２（ｂ）は、ドライブ側格納部２７に格納された記録層−記録エリア対応テーブルＴ１の一例である。
【０１６１】
図２（ｂ）において、「記録層−例１」では、記録エリアＡ１〜Ａ８のそれぞれが、同順で記録層Ｌ０〜Ｌ７に対応していることを示している。また、「記録層−例２」では、記録エリアＡ１〜Ａ８のそれぞれが、逆順で記録層Ｌ７〜Ｌ０に対応していることを示している。さらに、「記録層−例３」では、記録エリアＡ１〜Ａ８のぞれぞれと記録層Ｌ７〜Ｌ０のそれぞれとの対応関係がランダムである場合を示している。
【０１６２】
つまり、光ディスク装置１は、光ディスク１００から層種類情報を取得したときに、記録層−記録エリア対応テーブルＴ１を参照することにより、どの記録層がどの種類の層か（例えばＲＯＭ層かＲＥ層かなど）を判定することができる。
【０１６３】
次に、図２（ｃ）は、層指定情報（Default Volume指定情報）の構造の一例を示す図である。層指定情報が光ディスク１００に記録されている場合、記録エリアＡ１〜Ａ８と異なる領域（管理領域１０１またはリードイン領域１０２）に、記録エリアＢ０〜Ｂ７が設けられている。記録エリアＢ０〜Ｂ７には１ビット情報が記録される。
【０１６４】
記録エリアＢ０およびＢ１は、光ディスク装置１に挿入されたときに最初に起動する記録層（起動層）の層の種類を指定するための情報（「層種類」）を記録するものである。例えばＲＯＭ層を指定する場合には、記録エリアＢ０には「１」、記録エリアＢ１には「０」が記録される。
【０１６５】
記録エリアＢ２〜Ｂ４は、上記起動層の層番号を指定するための情報（「層番号」）を記録するものである。層番号とは、その層が、基板側（再生光入射側の反対側、基板は不図示）から何番目にあたるかを示すものである。例えば記録層Ｌ１を指定する場合には、記録エリアＢ２には「１」、記録エリアＢ３には「０」、記録エリアＢ４には「０」が記録される。
【０１６６】
記録エリアＢ６は、上記起動層を指定する際に、層種類を指定するための情報および層番号を指定するための情報の何れを用いるかを示す情報（「ボリューム選択」）を記録するものである。例えば層種類を指定する情報を用いる場合には、「０」が記録される。
【０１６７】
記録エリアＢ７は、層指定情報がリードイン領域１０２の特定領域内に記録されているか否かを示す情報（「特定領域内デフォルトボリュームの有無」）を記録するためのものである。例えば上記特定領域に層指定情報が記録されている場合には、「１」が記録される。なお、記録エリアＢ５には、「Reserved」が記録されており、この記録エリアにビット情報が入っていないことを示している。
【０１６８】
つまり、光ディスク装置１は、光ディスク１００から層指定情報を取得すると、光ディスク１００のどの層を起動するのかを決定することができる。なお、光ディスク１００に記録されている層指定情報は、ＡＴＡＰＩコマンドに準拠しているため、光ディスク装置１では、当該層指定情報を取得すれば、層指定情報の「層種類」、「層番号」および「ボリューム選択」を読み取ることができる。すなわち、層指定情報が、ＡＴＡＰＩコマンドとして、ドライブユニット２とホストユニット３との間をやり取りされる場合の構造は、上記記録エリアＢ０〜Ｂ７に対応するものである。なお、ＡＴＡＰＩコマンドについては後述する。
【０１６９】
すなわち、層指定情報は、起動層認識部２４が最初に起動させる記録層として認識した起動層の層種類を指定するための情報である。この場合、光ディスク装置１は、層種類を用いて起動層へのアクセスを行うことができる。例えば、ＲＯＭ層が１層、ＲＥ層が１層の２層構造を有する光ディスク１００の場合には、確実に（一意的に）起動層を指定することができる。
【０１７０】
ここで、光ディスク１００が同じ種類の記録層（例えばＲＯＭ層が２層、ＲＥ層が２層の４層構造）を有する場合（すなわち同種類のボリュームを有する場合）に、光ディスク装置１は、ＲＯＭ層を示す層指定情報であれば、記録層Ｌ０に近いＲＯＭ層に対してアクセスを行い、ＲＥ層を示す層指定情報であれば、記録層Ｌ０に近いＲＥ層で、かつ、情報が記録可能な領域に対してアクセスを行う。従って、層種類の場合であっても、最初に起動させたい記録層を一意に決めることも可能である。
【０１７１】
一方、上記のような光ディスク１００（同一ボリュームを有する多層媒体）の場合に、より確実に（一意的に）、最初に起動させる記録層を指定することを可能とするために、本実施形態では、層指定情報として、起動層認識部２４が最初に起動させる記録層として認識した起動層の層番号を指定するための情報が指定されていてもよい。特に、それぞれの記録層で異なるアプリケーションを有している場合に、いずれのアプリケーションを最初に起動させるかを確実に指定することが可能となる。すなわち、記録再生装置にて通常設定されている順番で（例えば記録層Ｌ０に近い記録層から順に）アプリケーションを再生する必要がない。このため、ディスクサプライヤーまたはユーザが光ディスク１００を挿入時に起動することを希望するアプリケーションを最初に起動することができる。
【０１７２】
なお、層情報書込部２５が書き換える層指定情報も、起動層の層種類を指定するための情報、または、起動層の層番号を指定するための情報である。
【０１７３】
〔光ディスク装置１の起動処理の流れ（コマンドのやり取り）〕
次に、図５〜図９に基づき、光ディスク１００が挿入されてから光ディスク１００内の情報が起動されるまでに、ドライブユニット２とホストユニット３との間でのコマンドのやり取りの一例について説明する。図５は、光ディスク１００が挿入された際の起動処理時における、ドライブユニット２とホストユニット３との間でのコマンドのやり取りを示すタイミングチャートである。また、図９は、光ディスク装置１の処理の流れを示すフローチャートである。
【０１７４】
図示のように、ホストユニット３では、ホスト側制御部３１のコマンド制御部３１１は、光ディスクが装填されたか否かを判定するために、「TEST UNIT READY」コマンドを所定のタイミングでドライブユニット２に送信している（Ｓ１）。ドライブユニット２では、ドライブ側制御部２０のディスク装填確認部２２は、「TEST UNIT READY」コマンドを受信したときに（Ｓ２）、ディスク装填認識部６から検出信号を受信していれば、光ディスクが挿入されたと判定し、ホストユニット３に「READY」コマンドを返す（Ｓ３）。一方、光ディスクが挿入されたことを確認していなければ、ホストユニット３に「NOT READY」コマンドを返す。この場合には、ホストユニット３は、「READY」コマンドが返ってくるまで「TEST UNIT READY」コマンドをドライブユニット２に送信する。
【０１７５】
次に、ホストユニット３では、ホスト側制御部３１のコマンド制御部３１１は、ドライブユニット２から「READY」コマンドが返ってくると（Ｓ４）、ドライブユニット２に対して、光ディスクがハイブリッドディスクの特性を持っているかの問合せを行うためのコマンドとして「GET CONFIGRATION」コマンドを送信する（Ｓ５）。
【０１７６】
すなわち、光ディスク装置１は、Ｓ４の段階で、光ディスクが挿入されたことを確認する（図９のＳ２１）。
【０１７７】
ドライブユニット２では、ドライブ側制御部２０の層情報取得部２３は、「GET CONFIGRATION」コマンドを受信すると（Ｓ６）、例えば「GET CONFIGRATION」コマンドのfeature情報を取得するための処理を行うことにより、光ディスクがハイブリッドディスクであるかの確認を行う。具体的には、層情報取得部２３は、記録層Ｌ０の最内周にある管理領域にアクセスするように、記録再生回路群制御部２６に通知する。記録再生回路群制御部２６は、この通知を受けると、記録再生回路群１０を駆動させることにより管理領域にアクセスし、管理領域から読み取った情報（ディスク情報）を再生回路１５から取得する。そして、記録再生回路群制御部２６は、再生回路１５から取得したディスク情報を層情報取得部２３に送信する。なお、管理領域にディスク情報がない場合には、層情報取得部２３は、リードイン領域の書き換え不可能な領域にアクセスするように、記録再生回路群制御部２６に通知してもよい。すなわち、この場合には、リードイン領域の書き換え不可能な領域にディスク情報が記録されている。
【０１７８】
層情報取得部２３は、ディスク情報を受信すると、このディスク情報を解析することにより、挿入された光ディスクがハイブリッドディスクであるか否かを判定し、その結果をfeature情報として、ホストユニット３に返却する（Ｓ７）。
【０１７９】
ホストユニット３では、ホスト側制御部３１のコマンド制御部３１１は、光ディスクがハイブリッドディスク（すなわち光ディスク１００）であることを示す結果をfeature情報として受信すると（Ｓ８）、光ディスク１００の層指定情報を読み出すための処理を行う。まず、コマンド制御部３１１は、ドライブユニット２に対して、リードイン領域１０２内の特定領域に層指定情報が存在するかの問合せを行うために、当該問合せを行うための「READ DEFAULT VOLUME」を送信する（Ｓ９）。
【０１８０】
すなわち、光ディスク装置１は、Ｓ８の段階で、挿入された光ディスクがハイブリッド（Hybrid）ディスク（光ディスク１００）であると認識する（図９のＳ２２）。
【０１８１】
ドライブユニット２では、ドライブ側制御部２０の層情報取得部２３は、「READ DEFAULT VOLUME」コマンドを受信すると（Ｓ１０）、例えば、「READ DEFAULT VOLUME」コマンド（新規Vender uniqueコマンド）のDefault Volumeを取得するための処理を行うことにより、上記特定領域に層指定情報が存在するかの確認を行う。
【０１８２】
具体的には、層情報取得部２３は、上記特定領域にアクセスするように、記録再生回路群制御部２６に通知する。記録再生回路群制御部２６は、この通知を受けると、記録再生回路群１０を駆動させることにより上記特定領域にアクセスし、当該特定領域から読み取った情報を再生回路１５から取得する。そして、記録再生回路群制御部２６は、再生回路１５から取得した情報を層情報取得部２３に送信する。
【０１８３】
層情報取得部２３は、記録再生回路群制御部２６から受信した情報の中に層指定情報が存在するか（すなわちリードイン領域１０２の特定領域に層指定情報が存在するか）否かを確認し、その結果をDefault Volume情報として、ホストユニット３に返却する（Ｓ１１）。なお、図６は、「READ DEFAULT VOLUME」コマンドの一例を示すものであり、図６（ａ）は、ホストユニット３から送信される「READ DEFAULT VOLUME」コマンドの一例であり、図６（ｂ）は、ドライブユニット２から返却されるDefault Volume情報（レスポンスデータ）を示す図である。図６に示すビット配置は、あくまで一例であり、適宜変更することが可能である。
【０１８４】
ホストユニット３では、ホスト側制御部３１のコマンド制御部３１１は、上記結果をDefault Volume情報として受信すると（Ｓ１２）、その結果を解析することにより、ユーザが既に更新した層指定情報が光ディスク１００に記録されているかを確認する。コマンド制御部３１１は、更新した層指定情報があった場合には、当該層指定情報をホスト側格納部３５に格納しておく。
【０１８５】
次に、コマンド制御部３１１は、ドライブユニット２に対して、「READ DISC STRUCTURE」コマンドを送信する（Ｓ１３）。すなわち、コマンド制御部３１１は、「READ DISC STRUCTURE」コマンドを発行する（図９のＳ２３）。「READ DISC STRUCTURE」コマンドは、管理領域１０１（内周管理領域）に記録された情報を読み取り指示を示すものであり、ボリューム数（層数を示す情報）、ボリュームの種類（層種類情報）およびデフォルトボリューム（層指定情報）の問合せを行うためのコマンドである。
【０１８６】
ドライブユニット２では、ドライブ側制御部２０の層情報取得部２３は、「READ DISC STRUCTURE」コマンドを受信すると（Ｓ１４）、例えば「READ DISC STRUCTURE」コマンドのNew Hybrid Disc Information情報を取得するための処理を行うことにより、上記の各種情報を光ディスク１００から取得する。なお、図７は、「READ DISC STRUCTURE」コマンドにより返却されるNew Hybrid Disc Information情報の一例を示す図である。図７に示すビット配置は、あくまで一例であり、適宜変更することが可能である。
【０１８７】
具体的には、層情報取得部２３は、管理領域１０１にアクセスするように、記録再生回路群制御部２６に通知する。記録再生回路群制御部２６は、この通知を受けると、記録再生回路群１０を駆動させることにより管理領域１０１にアクセスし、当該管理領域１０１から読み取った情報（層種類情報および層指定情報）を再生回路１５から取得する。そして、記録再生回路群制御部２６は、再生回路１５から取得した層種類情報および層指定情報を層情報取得部２３に送信する。
【０１８８】
層情報取得部２３は、記録再生回路群制御部２６から受信した層種類情報および層指定情報を、New Hybrid Disc Information情報としてホストユニット３に返却する（Ｓ１５）。なお、層情報取得部２３は、管理領域１０１に層指定情報が記録されていない場合には、層種類情報のみを取得し、その旨をNew Hybrid Disc Information情報として、ホストユニット３に返却する。
【０１８９】
すなわち、ドライブユニット２は、Ｓ１５の段階で、ボリューム数、ボリュームの種類およびデフォルトボリュームを、ホストユニット３に返却する（図９のＳ２４）。
【０１９０】
ホストユニット３では、ホスト側制御部３１のコマンド制御部３１１は、New Hybrid Disc Information情報を受信すると（Ｓ１６）、受信した層種類情報および層指定情報をホスト側格納部３５に格納しておく。このとき、コマンド制御部３１１は、所望の層指定情報であるかをユーザに確認するための指示を表示制御部３１２に送信する。表示制御部３１２は、この指示を受信すると、光ディスク１００の記録層の層種類を表示すると共に、起動層がどの記録層であるか、当該起動層を起動してよいか、起動させない場合にはどの記録層を起動層とするか、などの情報を示す画像を表示部３３に表示させる。なお、コマンド制御部３１１が層指定情報を上記特定領域から取得している場合には、当該特定領域から取得した層指定情報が示す記録層を起動層とするか否かをユーザに問合せる。
【０１９１】
つまり、コマンド制御部３１１は、層情報取得部２３が層指定情報を管理領域１０１および上記特定領域の両方から取得している場合で、かつ、ユーザによる変更の指示がない場合には、起動層認識部２４が、当該特定領域から取得した層指定情報が示す記録層を起動層として認識可能なように処理する。なぜなら、上記特定領域に記録されている層指定情報は、光ディスク１００が光ディスク装置１にて使用され、そのときに例えばユーザの指示に応じて書き換えられたものであるといえるからである。
【０１９２】
すなわち、光ディスク装置１は、Ｓ１６の段階で、光ディスク１００に記録されたデフォルトボリュームが、ユーザが希望するデフォルトボリュームであるか否かを判定するために、ユーザに対する問合せを行う（図９のＳ２５）。
【０１９３】
ホスト側制御部３１は、操作部３２を介してユーザ入力を取得することで、ユーザが希望する起動層がどの記録層であるかを判別し、ホスト側格納部３５に格納されている層指定情報が示す記録層の起動をユーザが希望していないことを確認した場合には（図９のＳ２５でＮＯ）、ユーザが起動を希望している記録層を示す層指定情報を、ホスト側格納部３５に格納されている層指定情報と書き換える。すなわち、ホスト側制御部３１は、光ディスク１００に記録された層指定情報の変更があったことを確認する。
【０１９４】
ホスト側制御部３１が層指定情報の変更があったことを確認すると、コマンド制御部３１１は、ホスト側格納部３５に格納された層指定情報（変更後の層指定情報）を読み出し、ドライブユニット２に対して、当該層指定情報を「SET DEFAULT VOLUME」コマンド（新規Vender uniqueコマンド）として送信する（Ｓ１７）。なお、図８は、「SET DEFAULT VOLUME」コマンドの一例を示すものである。図８に示すビット配置は、あくまで一例であり、適宜変更することが可能である。
【０１９５】
すなわち、ホストユニット３では、ホスト側制御部３１のコマンド制御部３１１は、Ｓ１７の段階で、ユーザが希望するデフォルトボリュームを「SET DEFAULT VOLUME」コマンドに指定し（図９のＳ２８）、当該「SET DEFAULT VOLUME」コマンドを発行する（図９のＳ２９）。
【０１９６】
ドライブユニット２では、ドライブ側制御部２０の層情報書込部２５は、「SET DEFAULT VOLUME」コマンドを受信すると（Ｓ１８）、上記特定領域に層指定情報が格納されている場合には、当該層指定情報を、「SET DEFAULT VOLUME」コマンドに記述された層指定情報に書き換える。一方、層情報書込部２５は、上記特定領域に層指定情報が格納されていない場合には、「SET DEFAULT VOLUME」コマンドに記述された層指定情報を新規に書き込む。このため、層情報書込部２５は、「SET DEFAULT VOLUME」コマンドに記述された層指定情報を書き換える（書き込む）ための指示を、記録再生回路群制御部２６に与える。なお、このとき、層情報書込部２５は、書き換える（書き込む）層指定情報をドライブ側格納部２７に格納する。
【０１９７】
なお、層情報書込部２５が上記層指定情報を書き込む特定領域は、通常、記録層Ｌ０のリードイン領域１０２の特定領域が好ましい。なぜなら、このリードイン領域１０２は管理領域１０１に隣接しているため、層情報書込部２５が、管理領域１０１とリードイン領域１０２との間の移動の際にフォーカス制御を記録再生回路群１０に行わせる必要がないからである。
【０１９８】
次に、ホストユニット３では、ホスト側制御部３１のコマンド制御部３１１は、Ｓ１７の処理から例えば所定の時間経過後、ドライブユニット２に対して、層指定情報が示す起動層へフォーカス制御を指示するための「START STOP UNIT」コマンドを送信する（Ｓ１９）。すなわち、コマンド制御部３１１は、「START STOP UNIT」コマンドを発行する（図９のＳ３０）。なお、「START STOP UNIT」コマンドとしては、本実施形態の光ディスク１００に対応した新たなコマンドが用意されていても良い。
【０１９９】
ドライブユニット２では、ドライブ側制御部２０の起動層認識部２４は、「START STOP UNIT」コマンドを受信すると（Ｓ２０）、ドライブ側格納部２７に格納された層指定情報を読み出し、当該層指定情報が示す記録層を起動層として認識する。そして、起動層認識部２４は、この起動層に記録された情報を起動するための指示を、記録再生回路群制御部２６に与える。これにより、ドライブユニット２は、層指定情報が示す起動層へフォーカス制御を行い、当該起動層に記録された情報を起動することができる。
【０２００】
すなわち、ドライブユニット２は、Ｓ２０の段階で、ユーザによって変更（指定）されたボリュームへとフォーカス位置を移動する（図９のＳ３１）。
【０２０１】
なお、Ｓ１６の処理の際に、ホスト側制御部３１が、操作部３２に対するユーザ入力によりユーザが希望する起動層が、光ディスク１００に記録された層指定情報（上記特定領域に記録されている場合には、その層指定情報）が示す記録層であることを確認した場合には（図９のＳ２５でＹＥＳ）、Ｓ１７の処理を行わず、Ｓ１９の処理を行うだけでよい。すなわち、コマンド制御部３１１は、「START STOP UNIT」コマンドを発行する（図９のＳ２６）。そして、ドライブユニット２は、当該コマンドを受信すると、光ディスク１００に記録されている層指定情報が示すデフォルトボリュームにフォーカス位置を移動する（図９のＳ２７）。
【０２０２】
以上のように、光ディスク装置１（その制御方法）は、光ディスク装置１に光ディスク１００が挿入されたときに、層情報取得部２３（取得ステップ）が層指定情報を取得し、起動層認識部２４（認識ステップ）が、当該取得した層指定情報が示す記録層を起動層として認識する。
【０２０３】
これにより、光ディスク１００が光ディスク装置１に挿入されたときに、最初に起動する記録層を指定することができる。従って、光ディスク１００の挿入時に、ディスクサプライヤーまたはユーザが起動させたいと希望する記録層を起動させることが可能となる。
【０２０４】
また、ＲＯＭ層に記録されたアプリケーションがＯＳである場合には、当該ＲＯＭ層が起動層となるように層指定情報を指定することができるので、例えば、光ディスク装置１がＯＳを有しないＰＣ内に実現されている場合であっても、当該ＯＳをブートすることができる。
【０２０５】
〔バージョンアップについて〕
次に、光ディスク１００のＲＯＭ層に記録されたアプリケーション（ＯＳ）のバージョンアップを行う場合の処理について説明する。
【０２０６】
ホストユニット３では、ホスト側制御部３１の通信制御部３１３が、上記バージョンアップを行うためのバージョンアップ情報を、送受信部３４を介して受信すると、コマンド制御部３１１にその旨を通知する。コマンド制御部３１１は、バージョンアップ情報をＡＴＡＰＩコマンドとして層情報書込部２５に送信する。
【０２０７】
層情報書込部２５は、バージョンアップ情報を受信すると、当該バージョンアップ情報を光ディスク１００のＲＥ層（もしくはＲ層）に書き込むための指示を、記録再生回路群制御部２６に与える。このとき、層情報書込部２５が書き込む記録層は、予めドライブユニット２に設定されており、例えば挿入された光ディスク１００の記録層Ｌ０（ＲＥ層）のうち、バージョンアップ情報を記録することが可能な領域（情報が記録されていない領域）と設定されていてもよい。
【０２０８】
層情報書込部２５は、上記指示を与えると、バージョンアップ情報を書き込んだ記録層をＡＴＡＰＩコマンドとして、ホストユニット３に送信する。ホストユニット３では、ホスト側制御部３１のコマンド制御部３１１が、上記記録層を、次に光ディスク１００が挿入されたときに最初に起動する記録層とするために、ホスト側格納部３５に格納されている層指定情報を書き換える。そして、コマンド制御部３１１は、この層指定情報を光ディスク１００に書き込むために、当該層指定情報を「SET DEFAULT VOLUME」コマンドとしてドライブユニット２に送信する。ドライブユニット２では、「SET DEFAULT VOLUME」コマンドを受信すると、図５に示すＳ１８と同様、上記特定領域に記録されている層指定情報を、受信した層指定情報に書き換える（または、受信した層指定情報を新規に書き込む）。
【０２０９】
これにより、光ディスク装置１は、次に光ディスク１００が挿入されたときに最初に起動する記録層を、バージョンアップ情報が記録された記録層とすることができるので、バージョンアップ後のアプリケーションを起動することができる。このため、バージョンアップ後のアプリケーションを最初に起動できない場合に比べ、起動処理時間を短縮できるとともに、当該アプリケーションを起動する際の光ディスク装置１の処理の簡略化や、ユーザの手間を省くことができるなど、ユーザの利便性を向上させることができる。
【０２１０】
また、ＲＯＭ層に記録されたアプリケーションがＯＳである場合には、バージョンアップ情報が記録されたＲＥ層（またはＲ層）が起動層となるように層指定情報を指定することができる。このため、例えば、光ディスク装置１がＯＳを有しないＰＣ内に実現されている場合であっても、バージョンアップされたＯＳをブートすることができる。
【０２１１】
〔記録可能な層を起動層とすることによる効果〕
上述したように、光ディスク１００には、光ディスク１００の構造を示す識別情報が記録されている管理領域１０１、または、書き換え可能な記録層（ＲＥ層）あるいは再生専用の記録層（ＲＯＭ）に、光ディスク装置１に光ディスク１００が挿入されたときに最初に起動する記録層を指定するための層指定情報が記録されている。あるいは、例えばユーザの指示に応じた層指定情報が記録されている場合には、ユーザが最初に起動させることを希望する記録層を指定させることができる。すなわち、この場合には、ユーザの意図する記録層を最初に起動させることが可能となる。そして、図２（ｃ）等を参照して説明したように、最初に起動する記録層の種類は、再生専用のＲＯＭ層、書き換え可能なＲＥ層、あるいは、追記録可能なＲ層の何れの層であってもよい。
【０２１２】
しかしながら、最初に起動する記録層の種類を記録可能な層（ＲＥ層、Ｒ層）とすることにより、次のような効果が期待できる。以下、具体的に説明する。
【０２１３】
一般的に、ＯＳやアプリケーション等のセキュリティーを向上させる目的や、時節に即応した内容など、より使いやすいものにバージョンアップすることを目的として、更新（最新）情報を取得することがある。そして、その更新情報は記録可能な層（ＲＥ層、Ｒ層）に記録される。そこで、最初に起動する記録層の種類を記録可能な層（ＲＥ層、Ｒ層）にしておけば、光ディスク１００を光ディスク装置１に挿入することにより、最新情報に更新された状態でＯＳやアプリケーションを起動させることができる。その更新情報は、ＯＳやアプリケーション等のセキュリティーの向上、時節に即応した内容などを目的としたものであって、ディスクサプライヤーは、できる限りユーザに更新情報の使用を望むものである。従って、このことは、ディスクサプライヤーの意図する更新状態での起動が実現することを意味する。このとき、記録可能な層（ＲＥ層、Ｒ層）と再生専用の記録層（ＲＯＭ層）は互いに独立した記録層であって、更新情報が記録される記録層は記録可能な層（ＲＥ層、Ｒ層）に限られるため、従来のＲＥディスクのファイル管理を大きく変更する必要もない。
【０２１４】
また、ＲＯＭ層のみからなり、ＲＥ層が存在しない光ディスクの場合には、光ディスク装置内における記憶装置（例えばホスト側に付随するフラッシュメモリやハードディスクなどの不揮発性の記憶装置）に更新情報が記録されていた。そのため、光ディスクとその更新情報とを利用するためには、光ディスク装置内における複数の記憶装置間でのやり取りが不可欠であり、そのやり取りを実現することは困難であった。さらに、光ディスクを別の新たな光ディスク装置にて利用する際には、装置ごとに更新情報を改めて取得し、装置内の記憶装置に当該更新情報を記録しておく必要があったため、ユーザにとって極めて不便であり、過度な負担をユーザに強いていた。加えて、ＲＯＭ層とＲＥ層の両方を有する光ディスクであっても、光ディスク装置１内における記憶装置に更新情報を記録する場合には、上記と同様の問題に直面していた。
【０２１５】
これに対し、本願発明に係る光ディスク１００では、更新情報を自媒体のＲＥ層に記録するため、自媒体のＲＥ層に記録された更新情報をそのまま利用することができる。つまり、別の新たな光ディスク装置で更新情報を再度取得し、その取得した更新情報を装置内の記憶装置に記録するという動作が不要となる。そして、ＲＥ層から起動することにより、最新の更新情報をユーザに提供することができる。また、例えばＲＯＭ層に記録された情報をＲＥ層に記録、更新しておくことにより、ＲＯＭ層に存在する不要となった古い情報を読み出す動作が不要となる。
【０２１６】
ここで、一例として、しおり、お好みシーン、ダイジェスト再生、アンケート調査などのコンテンツ視聴メニューが記録可能な層（ＲＥ層、Ｒ層）に記録されている場合を考える。このとき、光ディスク１００を光ディスク装置１に挿入することにより、記録可能な層（ＲＥ層、Ｒ層）が最初に起動するため、使用状況に即応した最新版のコンテンツ視聴メニューを表示部３３に表示させることができる。これにより、ユーザは、最新版のコンテンツ視聴メニューを視聴することができるという効果を奏する。
【０２１７】
加えて、コンテンツ視聴メニューがＲＯＭ層に存在し、その更新情報が記録可能な層（ＲＥ層、Ｒ層）に存在し、その両方を読み出すことで最新版のコンテンツ視聴メニューを表示部に表示させる場合に比べて、両層を切り替えて読み出す必要がなく、記録可能な層（ＲＥ層、Ｒ層）のみの読み出しで最新版のコンテンツ視聴メニューを視聴することができるため、読み出し時間の短縮化を実現することができるという効果を奏する。
【０２１８】
なお、起動層として記録可能な層を指定する方法は、例えば起動層としてＲ層を指定する場合には、記録エリアＢ０に「０」を、記録エリアＢ１に「１」を記録すればよく、起動層としてＲＥ層を指定する場合には、記録エリアＢ０に「１」を、記録エリアＢ１に「１」を記録すればよい（図２（ｃ）参照）。逆に、記録可能な層（ＲＥ層、Ｒ層）から再生専用の記録層（ＲＯＭ層）に起動層を変更したい場合には、光ディスク装置１の側で起動層の設定を解除し、改めて起動層としてＲＯＭ層を指定すればよく、ユーザの希望に応じて柔軟に設定変更すればよい。
【０２１９】
ここで、上記〔光ディスク１００の概略構成〕では、記録エリアＡ１〜Ａ８、及び記録エリアＢ０〜Ｂ７で示される層指定情報は、管理領域１０１、または、リードイン領域１０２の書き換え不可能な領域に設けられるものとして説明した。しかしながら、層指定情報は、記録可能な層（ＲＥ層、Ｒ層）に記録されてもよい。この場合、記録可能な層（ＲＥ層、Ｒ層）に層指定情報が記録されるため、層指定情報の追記録又は書き換えが可能となる。それゆえ、層指定情報の追加、ユーザによる層指定情報の任意選択といった幅広い選択肢をユーザに提供することができ、ユーザの要望により柔軟に応えることができる。
【０２２０】
ただし、層指定情報が管理領域１０１に記録されている場合には、管理領域１０１に予め記録されている層指定情報を読み出すことができるので、ディスクサプライヤーが起動させたいＲＥ層を最初に起動させることができる。また、媒体認識の際に管理領域１０１０は必ず読み出されるため、層指定情報が読み出されるまでに必要な時間を短縮することができるという効果が得られる。
【０２２１】
また、層指定情報がＲＯＭ層に記録されている場合には、層指定情報は、例えば、ＲＯＭ層のプリピットとして形成され、プリピットは大量生産が容易であるため、層設定情報が記録された情報記録媒体を容易に生産することができるという効果が得られる。
【０２２２】
さらに、記録可能な層（ＲＥ層、Ｒ層）には、コンテンツ視聴メニュー等のアプリケーションを実行するためのＯＳを起動するための起動プログラム（第１起動プログラム）が記録されていてよい。
【０２２３】
最初に起動する記録層を記録可能な層（ＲＥ層、Ｒ層）とし、そこに第１起動プログラムが記録されていれば、記録可能な層（ＲＥ層、Ｒ層）から起動されることで、第１起動プログラムが自動的に実行される。これにより、ディスクサプライヤーの意図に従ったアプリケーションの起動が迅速に行われる。
【０２２４】
なお、上記アプリケーションの一例として、ルートメニュー、ディスクメニュー、タイトルリスト等の、自媒体に記録されたコンテンツをメニュー表示するコンテンツ視聴メニューが挙げられる。具体的には、光ディスク１００（ＲＯＭ層あるいはＲＥ層）に記録されているコンテンツの一覧を表示部３３に表示させ、その一覧表示されたコンテンツのうち、視聴を希望するコンテンツをユーザに選択させ、ユーザに選択させたコンテンツを表示部３３に表示させるコンテンツ視聴メニューである。
【０２２５】
なお、アプリケーションは、第１起動プログラムと必ずしも別プログラムである必要はなく、一体のものでもよい。換言すれば、第１起動プログラムがアプリケーションの機能を包含する構成であってもよい。
【０２２６】
上記構成により、ユーザは、光ディスク１００を光ディスク装置１に挿入することにより、起動したコンテンツ視聴メニューを表示部３３において確認でき、また、視聴を希望するコンテンツを選択したうえで、その選択したコンテンツを表示部３３で視聴することができる。このように、光ディスク１００を光ディスク装置１に挿入するだけで、ユーザは、自身が視聴を希望するコンテンツを選択し、かつ表示部３３に表示させることができるため、ユーザにとって利便性の高い光ディスク１００を実現することができる。
【０２２７】
さらに、上記の第１起動プログラムは、光ディスク１００の製品出荷時に、記録可能な層（ＲＥ層、Ｒ層）に予め記録されていてもよい。これにより、第１起動プログラムをフォーマットする作業、あるいは、光ディスク１００を最初に使用する際に、第１起動プログラムを再生専用の記録層（ＲＯＭ層）等から記録可能な層（ＲＥ層、Ｒ層）にコピーする作業が不要となる。それゆえ、ユーザは、コンテンツ視聴メニュー等をすぐに使用できるという効果を奏する。
【０２２８】
また、再生専用の記録層（ＲＯＭ層）に記録されている情報も、光ディスク１００の製品出荷時に、予め記録可能な層（ＲＥ層、Ｒ層）に記録されていてもよい。
【０２２９】
これにより、再生専用の記録層（ＲＯＭ層）に記録されている情報は、光ディスク１００の出荷時点で記録可能な層（ＲＥ層、Ｒ層）に記録されていることになる。従って、起動プログラムをフォーマットする作業、あるいは、光ディスク１００を最初に使用する際に、第１起動プログラムやコンテンツ視聴メニュー等を記録可能な層（ＲＥ層、Ｒ層）にコピーする作業が不要となる。それゆえ、ユーザは、記録可能な層（ＲＥ層、Ｒ層）に記録されたコンテンツ視聴メニュー等をすぐに使用できるという効果を奏する。
【０２３０】
加えて、記録可能な層（ＲＥ層、Ｒ層）に記録された情報を読み取る動作のみで、ユーザにコンテンツを視聴等させることが可能になる。つまり、再生専用の記録層（ＲＯＭ層）に記録された情報を読み取る動作が不要となるため、本来比較的時間を要する層間切り替えの頻度が低減するため、データアクセス時間を短縮することができる。また、再生専用の記録層（ＲＯＭ層）に記録された情報は、記録可能な層（ＲＥ層、Ｒ層）に記録された情報が喪失した場合のバックアップ情報として扱うことができる。従って、記録可能な層（ＲＥ層、Ｒ層）が何らかの理由で動作しなくなった場合には、記録可能な層（ＲＥ層、Ｒ層）をフォーマットし、より安全な再生専用の記録層（ＲＯＭ層）から記録可能な層（ＲＥ層、Ｒ層）に再度バックアップ情報を記録すれば、記録可能な層（ＲＥ層、Ｒ層）を元の状態に復旧させることができる。
【０２３１】
また、上記の第１起動プログラムは、記録可能な層（ＲＥ層、Ｒ層）をフォーマットした後に記録可能な層（ＲＥ層、Ｒ層）に記録される構成としてもよい。この場合、第１起動プログラムは、記録可能な層（ＲＥ層、Ｒ層）をフォーマットした後に、一連の動作として記録可能な層（ＲＥ層、Ｒ層）に記録される。つまり、記録可能な層（ＲＥ層、Ｒ層）をフォーマットした後に、一連の動作として記録可能な層（ＲＥ層、Ｒ層）への第１起動プログラム（およびアプリケーション）のシステム転送が完了する。そして、記録可能な層（ＲＥ層、Ｒ層）のフォーマットは光ディスク１００の購買者が各自で行うことができる。または、ディスクの初回導入時に実行されるように設定することも可能である。これにより、ディスクサプライヤーは、光ディスク１００の出荷時に１枚１枚の光ディスク１００をフォーマットする必要がなく、それゆえ、製品の出荷に要する時間・作業工程を短縮することができる。
【０２３２】
また、再生専用の記録層（ＲＯＭ層）に記録されている情報も、記録可能な層（ＲＥ層、Ｒ層）をフォーマットした後に、記録可能な層（ＲＥ層、Ｒ層）に記録されてもよい。これにより、再生専用の記録層（ＲＯＭ層）に記録されている情報は、記録可能な層（ＲＥ層、Ｒ層）をフォーマットした後に、一連の動作として記録可能な層（ＲＥ層、Ｒ層）に記録される。つまり、記録可能な層（ＲＥ層、Ｒ層）をフォーマットした後に、一連の動作として再生専用の記録層（ＲＯＭ層）に記録されている情報の記録可能な層（ＲＥ層、Ｒ層）へのシステム転送が完了する。従って、ディスクサプライヤーは、光ディスク１００の出荷時に、再生専用の記録層（ＲＯＭ層）に記録されている情報を記録可能な層（ＲＥ層、Ｒ層）に記録するために光ディスク１００をフォーマットする必要がない。
【０２３３】
加えて、記録可能な層（ＲＥ層、Ｒ層）に記録された情報を読み取る動作のみで、ユーザにコンテンツを視聴等させることが可能になる。つまり、再生専用の記録層（ＲＯＭ層）に記録された情報を読み取る動作が不要となるため、本来比較的時間を要する層間切り替えの頻度が低減するため、データアクセス時間を短縮することができる。また、再生専用の記録層（ＲＯＭ層）に記録された情報は、記録可能な層（ＲＥ層、Ｒ層）に記録された情報が喪失した場合のバックアップ情報として扱うことができる。
【０２３４】
さらに、上記の第１起動プログラムは、再生専用の記録層（ＲＯＭ層）に記録されていたものが、記録可能な層（ＲＥ層、Ｒ層）にコピーされる構成であってもよい。この場合、第１起動プログラムは、再生専用の記録層（ＲＯＭ層）のプリピットとして形成される。そして、プリピットは大量生産が容易である。それゆえ、ディスクサプライヤーは、層設定情報が記録された光ディスク１００を容易に生産することができる。なお、再生専用の記録層（ＲＯＭ層）から記録可能な層（ＲＥ層、Ｒ層）への第１起動プログラムのコピーは、例えば次のようにして実現できる。
【０２３５】
具体的には、記録可能な層（ＲＥ層、Ｒ層）に第１起動プログラムが記録されていない場合、あるいは、記録可能な層（ＲＥ層、Ｒ層）がフォーマットされていない場合には、第２情報記録層を起動させて、再生専用の記録層（ＲＯＭ層）に記録されている、ＲＯＭ層を起動するための起動プログラム（第２起動プログラム）を実行させる。これにより記録可能な層（ＲＥ層、Ｒ層）のフォーマットが行われ、その後に一連の動作として第１起動プログラムが記録可能な層（ＲＥ層、Ｒ層）に記録される、という方法である。
【０２３６】
上記の方法は、光ディスク１００の初回使用時において、記録可能な層（ＲＥ層、Ｒ層）のフォーマット、及び第１起動プログラムのシステム転送のシーケンスを再生専用の記録層（ＲＯＭ層）に記録しておくことにより実現する。このような構成とすることにより、光ディスク装置１のドライブ側の負担、及び、光ディスク装置１の設計上の取り決めを軽減することもできる。
【０２３７】
また、光ディスク１００では、ＲＯＭ層に記録されている、ＲＯＭ層を起動するための第２起動プログラムが実行されることにより、ＲＯＭ層に記録されている情報および第１起動プログラムが、ＲＥ層にコピーされる構成であってもよい。
【０２３８】
上記構成によれば、ＲＯＭ層に記録されている情報及び第１起動プログラムは、再生専用の記録層であるＲＯＭ層のプリピットとして形成される。そして、プリピットは大量生産が容易である。それゆえ、上記構成を備えた光ディスク１００を容易に生産することができる。
【０２３９】
なお、ＲＯＭ層に記録されている情報及び第１起動プログラムをＲＯＭ層からＲＥ層へコピーする方法は、次のような方法で実現できる。
【０２４０】
具体的には、ＲＥ層に第１起動プログラム等が記録されていない場合、あるいは、ＲＥ層がフォーマットされていない場合には、ＲＯＭ層が起動し、ＲＯＭ層に記録されている、ＲＯＭ層を起動するための第２起動プログラムが実行する。これによりＲＥ層のフォーマットが行われ、ＲＯＭ層に記録されている情報及び第１起動プログラムがＲＥ層に記録される、という方法である。
【０２４１】
上記方法は、光ディスク１００の初回使用時において、ＲＥ層のフォーマット、及びＲＯＭ層に記録されている情報と第１起動プログラムのシステム転送のシーケンスをＲＯＭ層に記録しておくことにより実現する。そして、上記構成とすることで、光ディスク装置１のドライブ側の負担、及び、光ディスク装置１の設計上の取り決めを軽減することができるという効果を奏する。
【０２４２】
さらに、光ディスク１００では、光ディスク１００に記録されたアプリケーションまたは第１起動プログラムは、外部に接続したネットワークを介して更新された最新版であってよい。これにより、ネットワーク配信を通じて記録可能な層（ＲＥ層、Ｒ層）にユーザーインターフェイスとなるディスク管理アプリケーションまたは第１起動プログラムが随時更新され、常に最新バージョンが維持されることになる。これにより、ディスクサプライヤーの意図する更新状態（最新状態）でアプリケーションあるいは第１起動プログラムを起動させることができる。なお、最新の更新情報は、通信制御部３１３に制御された送受信部３４が外部のネットワークから取得され、最終的に光ディスク１００の記録可能な層（ＲＥ層、Ｒ層）に記録される。
【０２４３】
また、光ディスク１００では、アプリケーションを起動するための第１起動プログラムとＲＯＭ層を起動するための第２起動プログラムは同一であってよい。
【０２４４】
上記構成によれば、ＲＯＭ層に記録されている第１起動プログラムは、再生専用の記録層であるＲＯＭ層のプリピットとして形成される。そして、プリピットは大量生産が容易である。それゆえ、第１起動プログラムおよび第２起動プログラムが同一であれば、プリピットを共通化でき、光ディスク１００の生産をより容易なものとすることができる。また、上記第１起動プログラムおよび上記第２起動プログラムを同一のものとすることで、予め第１起動プログラムと第２起動プログラムとが別の内容で記録されている場合に比べて、記録可能な層（ＲＥ層、Ｒ層）の容量を節約できる。また、使用当初の起動プログラムが共通であれば、ユーザは違和感なく使用することができる。
【０２４５】
〔実施の形態２〕
本発明の他の実施形態について図１０〜図１７に基づいて説明すれば、以下のとおりである。なお、実施の形態１と同様の部材に関しては、同じ符号を付し、その説明を省略する。
【０２４６】
〔ボリュームパックについて〕
本実施の形態では、光ディスク１００が光ディスク装置１に挿入された際に最初に起動する記録層（起動層）を指定するための情報として、「層種類」および「層番号」に加え、「ボリュームパック番号」を追加したものである。
【０２４７】
換言すれば、光ディスク１００には、層指定情報として、起動層のボリュームパックを指定するための情報（「ボリュームパック番号」）が記録されている。また、光ディスク装置１の層情報書込部２５が書き込む層指定情報は、起動層のボリュームパックを指定するための情報を含むものである。なお、ここでは、ボリュームパックを指定するための情報として、ボリュームパック番号を一例として挙げて説明するが、これに限らず、各ボリュームパックを特定できる記号であればよい。
【０２４８】
この構成によれば、ボリュームパック番号を用いて起動層を認識することができる。つまり、複数の論理的な管理単位であるボリュームパックを有する光ディスク１００において、ボリュームパック番号を用いて１つのボリュームパックを指定することにより、光ディスク装置１が制御可能な管理単位である記録層群（１つのボリュームパックが１層の記録層からなる場合はその記録層に特定される）を指定することが可能となる。このため、例えば、ユーザが使用したい機能をより早く起動することが可能となる。
【０２４９】
ここで、「ボリュームパック」とは、光ディスク装置１が認識可能な論理的な管理単位であり、１層以上の記録層を含む１つの管理単位（１つの記録領域）を指すものであり、ユーザデータに対して全クラスタにわたって連続して配置される論理セクタ番号を持つ１つ以上の層種類を備え、独立したボリュームに含まれる記録層により構成される。
【０２５０】
また、ボリュームパックを用いる場合、光ディスク装置１は、ボリュームパック番号が割り当てられたボリュームパックそれぞれを、１つの管理単位として（１つの補助記憶装置のように）取り扱うことができる。また、本実施の形態では、光ディスク装置１が制御可能な（認識可能な）管理単位がボリュームパックとなるため、光ディスク装置１は、一度に１つのボリュームパックしか制御することができず、別のボリュームパックを制御できない。つまり、「ボリュームパック」は、「光ディスク装置１が一度に制御可能な（認識可能な）管理単位」となっている。
【０２５１】
通常、ボリュームパックごとに異なる機能（アプリケーション）が搭載されていることが多いため、ボリュームパック単位で指定できることは、機能ごとの読み出し速度を向上させる点、すなわち利便性を向上させる点で有効となる。
【０２５２】
また、光ディスク装置１は、例えばボリュームパック内のいずれの記録層を起動層として認識するかを予め決めておくことにより、その認識のために、光ディスク１００が有する複数の記録層すべてを把握しておく必要はなく、ボリュームパック分だけを把握しておけばよいことになる。なお、光ディスク装置１は、記録層から情報を読み出す場合、通常、光ディスク１００のディスク構造を明確に把握しておく必要がある。
【０２５３】
このため、光ディスク装置１は、記録層ごとに起動層が指定されている場合に比べ、容易に、かつ、速く起動層を認識することができる。特に、光ディスク１００が現在よりも多層化された場合に有益である。
【０２５４】
また、層種類の異なる複数の記録層を１つのボリュームパックとして指定すること、及び、別のボリュームパックに同一の層種類の記録層が存在することを許容している。このため、ディスクサプライヤーによる層指定情報の設定の自由度を増すことができる。また、この点で、ボリュームパックは、単純な層種類とは異なるものといえる。
【０２５５】
また、最初に起動する記録層の種類を記録可能な層（ＲＥ層、Ｒ層）とすれば、実施の形態１の〔記録可能な層を起動層とすることによる効果〕にて説明した効果も奏することが可能である。なお、本実施の形態では、最初に起動する層の種類は、ＲＯＭ層、ＲＥ層及びＲ層の何れかであってもよいものとして説明する。
【０２５６】
なお、本実施の形態では説明上、上記のように、光ディスク装置１が一度に１つのボリュームパックしか制御することができない例について説明したが、実際には必ずしもその必要はなく、光ディスク装置１が一度に複数のボリュームパックを制御できても構わない。本実施の形態の技術的思想は、層番号を用いて起動層を指定する場合に比べて、ボリュームパックを指定するための情報を用いて起動層を指定することで、より容易に、かつ、速く起動層を認識できることにあり、光ディスク装置１が一度に制御できるボリュームパックが単数か複数かを問うものではない。
【０２５７】
〔ボリュームパックの割り当て（その１）〕
以下、図面を用いてより具体的に説明する。まず、複数のボリュームパックに同一の層種類の記録層（各ボリュームパック内はそれぞれ同じ層種類の記録層）が存在している場合について、図１０〜図１４を用いて説明する。
【０２５８】
図１０は、光ディスク１００の層構造の一例を示すものである。同図では、その一例として、６層構造の場合を示しており、再生光入射側から最も遠い記録層である記録層Ｌ０〜Ｌ３がＲＥ層、記録層Ｌ４及びＬ５がＲＯＭ層である光ディスク１００を示している。例えば、同じ種類の記録層であるＲＥ層が、「ボリュームパック♯０」及び「ボリュームパック♯１」に割り当てられている。
【０２５９】
また、この光ディスク１００では、記録層Ｌ０及びＬ１に「ボリュームパック♯０」、記録層Ｌ２及びＬ３に「ボリュームパック♯１」、並びに、記録層Ｌ４及びＬ５に「ボリュームパック♯２」と、ボリュームパック番号が設定されている。
【０２６０】
なお、この例では、記録層Ｌ０側から「♯０」が与えられているが、これに限らず、例えば再生光入射側に最も近い記録層から「♯０」を設定していくなど、各ボリュームパックを特定できればどのようにボリュームパック番号が設定されてもよい。また、このボリュームパック番号は、例えばディスクサプライヤーによって製造時に設定されているものである。
【０２６１】
ここで、光ディスク装置１は、層指定情報として設定された１つのボリュームパック内において再生光入射側から最も遠い記録層を起動層として認識するように設定されている。図１０に示す光ディスク１００において、層指定情報として「ボリュームパック♯０」が指定されている場合には、光ディスク装置１は記録層Ｌ０を起動層として認識し、当該記録層Ｌ０に対してアクセスを行い、層指定情報として「ボリュームパック♯１」が指定されている場合には、光ディスク装置１は記録層Ｌ２を起動層として認識し、当該記録層Ｌ０に対してアクセスを行う。従って、ボリュームパックの場合であっても、最初に起動させたい記録層を一意に決めることも可能である。
【０２６２】
次に、図１１は、光ディスク１００の各層に記録されている層番号及びボリュームパック番号の一例を示す図である。光ディスク１００の各層のリードイン領域１０２には、各層の層種類情報に、層番号及びボリュームパック番号が対応付けて記録されている。本実施の形態では、光ディスク装置１は、各層のリードイン領域１０２から、層種類情報、層番号及びボリュームパック番号を読み出すことによって、どの記録層が、どの種類の層で、どのようにボリュームパックが指定されているかを判定することができる。
【０２６３】
例えば、図１０に示す光ディスク１００の場合、記録層Ｌ０のリードイン領域１０２には、層種類情報「０１１」、層番号「０００」及びボリュームパック番号「０００」が記録されており、記録層Ｌ４には、層種類情報「００１」、層番号「１００」及びボリュームパック番号「０１０」が記録されている。
【０２６４】
本実施の形態では、層種類情報は、「００１」がＲＯＭ層、「０１０」がＲ層、「０１１」がＲＥ層を示すものとして説明するが、３ビット情報と層の種類とは任意に対応付けることができる。なお、「０００」は、層なし、すなわち、記録層が存在しないことを示すものとする。
【０２６５】
また、本実施の形態では、ボリュームパック番号は、「ボリュームパック♯０」が「０００」と、「ボリュームパック♯１」が「００１」と、「ボリュームパック♯２」が「０１０」と、３ビット情報として与えられている。これに限らず、ボリュームパック番号として、全ボリュームパックの区別が可能なビット情報が与えられていればよい。
【０２６６】
なお、本実施の形態では、層種類情報、層番号及びボリュームパック番号が光ディスク１００の各層にそれぞれ記録されており、光ディスク装置１は、各層のリードイン領域１０２にアクセスすることにより、各層の層種類、層番号及びボリュームパック番号を判定している。これに限らず、例えば実施の形態１と同様、記録エリアＡ１〜Ａ８（図２（ａ）参照）に層種類情報が記録され、光ディスク装置１のドライブ側格納部２７に記録層−記録エリア対応テーブルＴ１（図２（ｂ）参照）が格納されている構成であってもよい。
【０２６７】
この場合、記録エリアＡ１〜Ａ８のそれぞれは、層種類情報としての３ビット情報を格納できるようになっている。また、管理領域１０１、または、リードイン領域１０２の書き換え不可能な領域には、記録エリアＡ１〜Ａ８と対応付けてボリュームパック番号（３ビット情報）が格納されている。なお、記録エリアＡ１〜Ａ８のそれぞれに、層種類情報及びボリュームパック番号を示す６ビット情報が格納されてもよい。この場合、例えばＲＥ層「０１１」で、ボリュームパック番号「００１」である場合には、「０１１００１」が格納される。
【０２６８】
光ディスク装置１は、層種類情報を読み出すことにより、記録層−記録エリア対応テーブルＴ１を参照して、どの記録層がどの種類の層かを判定し、さらに、ボリュームパック番号を読み出すことで、記録層がどのようにボリュームパック化されているのかを判定することができる。
【０２６９】
次に、本実施の形態に係る記録エリアＢ０〜Ｂ７の構造（層指定情報の構造）の一例について図１２を用いて説明する。図１２は、本実施の形態に係る層指定情報の構造の一例を示す図である。この層指定情報の構造は、層指定情報として層種類及び層番号だけでなく、ボリュームパック番号を用いることを可能としたものである。
【０２７０】
記録エリアＢ０〜Ｂ２は、後述の記録エリアＢ５及びＢ６に記録される情報に従って、光ディスク装置１に挿入されたときに最初に起動する記録層（起動層）の層の種類を指定するための情報（「層種類」）、当該起動層の層番号を指定するための情報（「層番号」）、又は、当該起動層のボリュームパックを指定するための情報（「ボリュームパック番号」）を記録するものである。なお、記録エリアＢ０〜Ｂ２に記録される情報を「ボリューム情報」と表現する場合もある。
【０２７１】
記録エリアＢ５およびＢ６は、上記起動層を指定する際に、層種類を指定するための情報、層番号を指定するための情報およびボリュームパックを指定するための情報の何れを用いるかを示す情報（「ボリューム選択」）を記録するものである。
【０２７２】
記録エリアＢ７は、層指定情報がリードイン領域１０２の特定領域内に記録されているか否かを示す情報（「特定領域内デフォルトボリュームの有無」）を記録するためのものである。例えばリードイン領域１０２の特定領域内に層指定情報が記録されている場合には、「１」が記録される。
【０２７３】
例えば、図１０に示す光ディスク１００において、「ボリュームパック♯１」を指定する場合には、記録エリアＢ５には「０」、記録エリアＢ６には「１」が記録されるとともに、記録エリアＢ０には「１」、記録エリアＢ１には「０」、記録エリアＢ２には「０」が記録される。
【０２７４】
つまり、光ディスク装置１は、光ディスク１００から層指定情報を取得すると、光ディスク１００のどのボリュームパック内の記録層を起動するのかを決定することができる。なお、光ディスク１００に記録されている層指定情報は、ＡＴＡＰＩコマンドに準拠しているため、光ディスク装置１では、当該層指定情報を取得すれば、「ボリューム選択」に従った「ボリューム情報」を読み取ることができる。すなわち、層指定情報が、ＡＴＡＰＩコマンドとして、ドライブユニット２とホストユニット３との間をやり取りされる場合の構造は、上記記録エリアＢ０〜Ｂ７に対応するものである。
【０２７５】
次に、本実施の形態において、光ディスク１００が挿入されてから光ディスク１００内の情報が起動されるまでに、ドライブユニット２とホストユニット３との間でやり取りされるコマンドの一例について、図１３及び図１４を用いて説明する。上記コマンドのやり取りについては、図５に示すタイミングチャート（層指定情報として、「層番号」及び「層種類」と同様に「ボリュームパック番号」を扱うことを前提とする）に従うため、ここではその説明を省略する。
【０２７６】
図１３（ａ）は、図５に示すＳ１０の処理においてホストユニット３から送信される「READ DEFAULT VOLUME」コマンドの一例であり、図１３（ｂ）は、ドライブユニット２から返却されるDefault Volume情報（レスポンスデータ）を示す図である。図１３に示すビット配置は、あくまで一例であり、適宜変更することが可能である。
【０２７７】
図１３（ａ）に示す「READ DEFAULT VOLUME」コマンドは、実施の形態１で用いられる「READ DEFAULT VOLUME」コマンド（図６（ａ）参照）と同じであるが、図１３（ｂ）に示すDefault Volume情報は、実施の形態１で用いられるDefault Volume情報とは異なっており、本実施の形態の記録エリアＢ０〜Ｂ７に対応した構造となっている。
【０２７８】
また、図１４は、図５に示すＳ１７の処理においてホストユニット３から送信される「SET DEFAULT VOLUME」コマンドの一例であり、この「SET DEFAULT VOLUME」コマンドもまた、実施の形態１で用いられる「SET DEFAULT VOLUME」コマンドとは異なっており、本実施の形態の記録エリアＢ０〜Ｂ７に対応した構造となっている。
【０２７９】
〔ボリュームパックの割り当て（その２）〕
次に、本実施の形態に係る光ディスク１００の別例として、１つのボリュームパック内に異なる層種類が割り当てられている場合について、図１５〜図１７を用いて説明する。
【０２８０】
図１５は、図１０に示す光ディスク１００の層構造の変形例を示すものである。同図では、その一例として、４層構造の場合を示しており、再生光入射側から最も遠い記録層である記録層Ｌ０がＲＥ層、記録層Ｌ１がＲ層、記録層Ｌ２及びＬ３がＲＯＭ層である光ディスク１００を示している。図１５では、「ボリュームパック♯０」が設定された１つのボリュームパック内に、異なる層種類であるＲＥ層及びＲ層が割り当てられている。
【０２８１】
また、図１６は、図１５に示す光ディスク１００の各層に記録されている層番号及びボリュームパック番号の一例を示す図である。図１１と同様、光ディスク１００の各層のリードイン領域１０２には、各層の層種類情報に、層番号及びボリュームパック番号が対応付けて記録されている。これにより、図１５に示す光ディスク１００についても、光ディスク装置１は、どの記録層が、どの種類の層で、どのようにボリュームパックが指定されているかを判定することができる。なお、この判定は、上述のように、記録層−記録エリア対応テーブルＴ１を用いて行われてもよい。
【０２８２】
このように、図１０又は図１５に示す光ディスク１００に、層指定情報として、起動層のボリュームパックを指定するための情報が記録されていることにより、上述のように、例えば、ユーザが使用したい機能をより早く起動することが可能となる。また、図１０及び図１５に示す光ディスク１００のように、様々な記録層の組合せを有するボリュームパックを設定することできるので、ディスクサプライヤーによる層指定情報の設定の自由度を増すことができる。
【０２８３】
なお、本実施の形態においては、光ディスク装置１は、層指定情報として設定された１つのボリュームパック内において再生光入射側から最も遠い記録層を起動層として認識するように設定されている。このため、図１５に示す光ディスク１００が挿入された場合で、層指定情報として「ボリュームパック♯０」が設定されている場合には、光ディスク装置１は、記録層Ｌ０（ＲＥ層）を起動層として認識することとなり、記録層Ｌ１（Ｒ層）を起動層として認識できない。
【０２８４】
当然ながら、層指定情報として設定された１つのボリュームパック内において再生光入射側から最も近い記録層を起動層として認識するように設定されている場合には、記録層Ｌ１を起動層として認識することができる。このように、ボリュームパック内のどの記録層を起動層として認識するかを予め設定しておくことにより、光ディスク装置１は、ボリュームパックを認識するだけで、起動層を起動させることができるので、早いアクセスを実現することが可能となる。つまり、ディスクサプライヤー又はユーザにとっては、ディスクサプライヤー又はユーザ所望の機能をより早く動作させることが可能となる。さらに、層番号により起動層を認識する場合に比べ、ディスクサプライヤー又はユーザが記録層すべての構造を意識することなく、起動層の指定を簡便に行うことが可能となる。
【０２８５】
このアクセス速度を考慮せず、ボリュームパックと共に起動層まで認識しようとする場合には、例えば図１７に示す層指定情報を用いることも可能である。図１７は、図１５に示す光ディスク１００が有する記録エリアＢ０〜Ｂ７の構造（層指定情報の構造）の一例を示すものである。
【０２８６】
すなわち、図１７に示す層指定情報の構造は、図１２に示す層指定情報の構造において、「Reserved」が記録されていた記録エリアＢ３及びＢ４に、起動層の層種類を指定するための情報（「層種類」）を記録可能なようにしたものである。なお、この記録エリアＢ３及びＢ４は、層指定情報としてボリュームパック番号が選択された場合（「ボリューム選択」に「１０」が記録されている場合）に記録することができる。
【０２８７】
〔起動層の決定について〕
本実施の形態において、上記では、光ディスク装置１がボリュームパック内のいずれの記録層（例えば再生光入射側から最も遠い記録層）を起動層として認識するのかが予め決められている場合について説明した。しかし、光ディスク装置１による起動層の決定方法については、これに限らず、光ディスク装置１において、ボリュームパックが指定されれば、ホスト側格納部３５に格納されているファイルシステムにより論理的に起動層が選択される構成であってもよい。すなわち、光ディスク装置１は、層指定情報として設定された１つのボリュームパック内においてファイルシステムにより論理的に選択された記録層を起動層として認識してもよい。
【０２８８】
ファイルシステムによれば、例えば、ＲＯＭ層が選択された場合には論理アドレスの先頭（それに対応する層番号を光ディスク装置１が認識する）から再生され、ＲＥ層が選択された場合には空き論理アドレスの先頭（上記同様、対応する層番号を光ディスク装置１が認識する)から記録される。このファイルシステムの動作を利用すれば、ボリュームパック内のいずれの記録層を起動層として認識するかを予め決めておかなくても、光ディスク装置１による起動層の決定を行うことは可能である。
【０２８９】
そして、光ディスク装置１は、ファイルシステムを利用して起動層を決定することにより、光ディスク１００が有する複数の記録層すべてを把握しておく必要がなく、また、ボリュームパックを認識するだけで起動層を起動させることができるので、早いアクセスを実現することが可能となる。つまり、ディスクサプライヤー又はユーザにとっては、ディスクサプライヤー又はユーザ所望の機能をより早く動作させることが可能となる。さらに、層番号により起動層を認識する場合に比べ、ディスクサプライヤー又はユーザが記録層すべての構造を意識することなく、起動層の指定を簡便に行うことが可能となる。
【０２９０】
〔本発明の別表現〕
なお、本発明は、以下のようにも表現できる。
【０２９１】
上記の再生専用の記録層（ＲＯＭ層）に記録されている起動プログラム、アプリケーション、その他の情報の何れかあるいはすべてが記録可能な層（ＲＥ層、Ｒ層）にコピーされる際には、上記両層の記録・再生に共通の光学系が用いられることから、再生専用の記録層（ＲＯＭ層）の再生と記録可能な層（ＲＥ層、Ｒ層）への記録の同時進行が困難であり、さらに層切り替えが必要になる。層切り替えの頻度が高くなるとそれだけ時間を要するため、時間短縮のためには下記の手法が考えられる。
【０２９２】
例えば、再生専用の記録層（ＲＯＭ層）に記録されている情報を、光ディスクとは別の記録再生装置、例えばホスト側に付随するフラッシュメモリやハードディスクなどの不揮発性の記憶装置や、半導体メモリを中心とするＲＡＭ（random access memory）などの揮発性記憶装置に一旦格納しておき、そこから記録可能な層（ＲＥ層、Ｒ層）にコピーされても構わない。この方法を取れば、本発明の情報記録媒体の層切り替え頻度を下げることができるので、コピーの時間を短縮することができる。なお、上記記憶装置に一旦格納する作業は、コピー実行時に順次行っても構わないし、コピー実行の事前に前もって行っても構わない。
【０２９３】
本発明に係る情報記録媒体は、少なくとも１層の再生専用層と、少なくとも１層の記録可能層を有し、上記再生専用層と上記記録可能層のファイル管理が独立しており、ネットワークを介して情報が上記記録可能層に追加／更新／削除される光情報記録媒体であって、上記媒体内の特定の情報に基いて、上記記録可能層が優先的に起動される構成であってよい。
【０２９４】
また、本発明に係る情報記録媒体では、上記特定の情報は、媒体情報が記録されている管理領域に記録されていてもよい。
【０２９５】
また、本発明に係る情報記録媒体では、上記管理領域は、上記光情報記録媒体の最内周にコード状に記録されていてもよい。
【０２９６】
また、本発明に係る情報記録媒体では、上記特定の情報は、上記再生専用層に記録されていてもよい。
【０２９７】
また、本発明に係る情報記録媒体では、上記特定の情報は、上記記録可能層に記録されていてもよい。
【０２９８】
また、本発明に係る情報記録媒体では、上記記録可能層に起動プログラムが記録され、上記記録可能層が優先的に起動される際に上記起動プログラムが実行されてもよい。
【０２９９】
また、本発明に係る情報記録媒体では、上記起動プログラムは、ユーザーに上記再生専用層に記録されている内容の一覧を表示する一覧表示手段と、上記再生専用層に記録されている内容の内、ユーザーが視聴を希望する内容を選択する選択手段と、上記選択手段によって選択された上記再生専用層に記録されている内容を表示する内容表示手段とを有する構成であってもよい。
【０３００】
また、本発明に係る情報記録媒体では、上記起動プログラムは、ホストを制御するオペレーティングシステムであってもよい。
【０３０１】
また、本発明に係る情報記録媒体では、上記起動プログラムは、記録再生装置によって、ネットワークを介して更新されてもよい。
【０３０２】
また、本発明に係る情報記録媒体では、上記起動プログラムは、予め上記記録可能層に記録されていてもよい。
【０３０３】
また、本発明に係る情報記録媒体では、上記起動プログラムは、上記記録可能層がフォーマットされる際に上記記録可能層に記録されてもよい。
【０３０４】
また、本発明に係る情報記録媒体では、上記記録可能層に上記起動プログラムが記録されていない、または、上記記録可能層がフォーマットされていない場合に、上記再生専用層から起動され、上記再生専用層に記録されている初回起動プログラムが実行されることにより、上記記録可能層がフォーマットされ、上記起動プログラムが上記記録可能層に記録されてもよい。
【０３０５】
また、本発明に係る情報記録媒体では、上記起動プログラムは、上記再生専用層から上記記録可能層に記録されてもよい。
【０３０６】
また、本発明に係る情報記録媒体では、上記起動プログラムは、上記記録再生装置によって、ネットワークを介して上記記録可能層に記録されてもよい。
【０３０７】
また、本発明に係る情報記録媒体では、上記起動プログラムおよび上記再生専用層に記録されている内容は、予め上記記録可能層に記録されていてもよい。
【０３０８】
また、本発明に係る情報記録媒体では、上記記録可能層がフォーマットされる際に、上記起動プログラムおよび上記再生専用層に記録されている内容が上記記録可能層に記録されてもよい。
【０３０９】
また、本発明に係る情報記録媒体では、上記記録可能層に上記起動プログラムが記録されていない、または、上記記録可能層がフォーマットされていない場合に、上記再生専用層から起動され、上記再生専用層に記録されている初回起動プログラムが実行されることにより、上記記録可能層がフォーマットされ、上記起動プログラムおよび上記再生専用層に記録されている内容が上記再生専用層から上記記録可能層に記録されてもよい。
【０３１０】
また、本発明に係る情報記録媒体では、少なくとも１層の再生専用層と、少なくとも１層の記録可能層を有し、上記再生専用層と上記記録可能層のファイル管理が独立しており、ネットワークを介して情報が上記記録可能層に追加／更新／削除される光情報記録媒体であって、上記媒体内の特定の情報に基いて、上記再生専用層が優先的に起動されてもよい。
【０３１１】
また、本発明に係る情報記録媒体では、上記記録可能層に起動プログラムが記録され、上記再生専用層が優先的に起動される際に上記記録可能層の上記起動プログラムが呼び出されて実行されてもよい。
【０３１２】
本発明に係る記録再生装置は、上記の情報記録媒体に対して情報を記録再生する記録再生装置であって、自装置に上記各情報記録媒体を挿入した際に、上記各情報記録媒体に記録されている特定の情報に基いて、上記各情報記録媒体の記録可能層を優先的に起動する構成であってもよい。
【０３１３】
〔他の構成〕
本実施の形態では、最初に起動する記録層は、記録可能な層（ＲＥ層、Ｒ層）が再生専用の記録層（ＲＯＭ層）に優先するものとして説明している。
【０３１４】
しかしながら、光ディスク１００を光ディスク装置１に挿入したときに、記録可能な層（ＲＥ層、Ｒ層）に起動メニューの識別子が存在せず、記録可能な層（ＲＥ層、Ｒ層）を起動できない場合も想定される。そのような場合には、まず再生専用の記録層（ＲＯＭ層）を起動したうえで、再生専用の記録層（ＲＯＭ層）に予め記録されたシーケンス等に従って、記録可能な層（ＲＥ層、Ｒ層）の起動メニュー（識別子を含む）を記録可能な層（ＲＥ層、Ｒ層）にコピー又はダウンロードする。そして、光ディスク１００の初回使用時は、再生専用の記録層（ＲＯＭ層）が起動したままで終了する構成であってよい。そうすれば、光ディスク１００の次回使用時から、最初に起動する記録層として、記録可能な層（ＲＥ層、Ｒ層）を再生専用の記録層（ＲＯＭ層）に優先させることができる。
【０３１５】
あるいは、光ディスク１００を光ディスク装置１に最初に挿入した時点で、記録可能な層（ＲＥ層、Ｒ層）のフォーマットが行われていない場合も考えられる。その場合には、まず記録可能な層（ＲＥ層、Ｒ層）のフォーマットを行い、同時に、記録可能な層（ＲＥ層、Ｒ層）の起動メニューを作成（あるいは再生専用の記録層（ＲＯＭ層）からコピー）し、記録可能な層（ＲＥ層、Ｒ層）に記録する構成が考えられる。この構成により、上記と同様に、光ディスク１００の次回使用時から、最初に起動する記録層として、記録可能な層（ＲＥ層、Ｒ層）を再生専用の記録層（ＲＯＭ層）に優先させることができる。
【０３１６】
また、光ディスク１００を光ディスク装置１に挿入したときに、再生専用の記録層（ＲＯＭ層）からＯＳをブートし、そのうえで、記録可能な層（ＲＥ層、Ｒ層）の指定領域に記録された起動メニューを起動する構成とすることもできる。
【０３１７】
〔補足〕
最後に、光ディスク装置１の各ブロック、特にドライブユニット２のドライブ側制御部２０（ディスク装填確認部２２、層情報取得部２３、起動層認識部２４、層情報書込部２５および記録再生回路群制御部２６）およびホストユニット３のホスト側制御部３１（コマンド制御部３１１、表示制御部３１２、通信制御部３１３、再生制御部３１４および記録制御部３１５）は、ハードウェアロジックによって構成してもよいし、次のようにＣＰＵを用いてソフトウェアによって実現してもよい。
【０３１８】
すなわち、光ディスク装置１は、各機能を実現する制御プログラムの命令を実行するＣＰＵ（central processing unit）、前記プログラムを格納したＲＯＭ（read only memory）、前記プログラムを展開するＲＡＭ（random access memory）、前記プログラムおよび各種データを格納するメモリ等の記憶装置（記録媒体）などを備えている。そして、本発明の目的は、上述した機能を実現するソフトウェアである光ディスク装置１の制御プログラムのプログラムコード（実行形式プログラム、中間コードプログラム、ソースプログラム）をコンピュータで読み取り可能に記録した記録媒体を、前記光ディスク装置１に供給し、そのコンピュータ（又はＣＰＵやＭＰＵ）が記録媒体に記録されているプログラムコードを読み出し実行することによっても、達成可能である。
【０３１９】
前記記録媒体としては、例えば、磁気テープやカセットテープ等のテープ系、フロッピー（登録商標）ディスク／ハードディスク等の磁気ディスクやコンパクトディスク−ＲＯＭ／ＭＯ／ＭＤ／デジタルビデオデイスク／コンパクトディスク−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０３２０】
また、光ディスク装置１を通信ネットワークと接続可能に構成し、前記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、前記プログラムコードが電子的な伝送で具現化された、搬送波に埋め込まれたコンピュータデータ信号の形態でも実現され得る。
【０３２１】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０３２２】
本発明は、ＲＯＭ層、ＲＥ層及びＲ層が混在した多層構造の光情報記録媒体や該光情報記録媒体に情報を記録・再生するための光情報記録再生装置などに広く適用することができる。
【符号の説明】
【０３２３】
１    光ディスク装置（記録再生装置）
２３  層情報取得部（取得手段）
２４  起動層認識部（認識手段）
２５  層情報書込部（書き込み手段）
２７  ドライブ側格納部（格納部）
３１  ホスト側制御部（書き換え手段）
３３  表示部（表示装置）
３５  ホスト側格納部（格納部）
１００  光ディスク（情報記録媒体）
１０１  管理領域
Ｌ０    （第１情報記録層）
Ｌ１    （第２情報記録層）
【図１】
2011090760.tif 000003
【図２】
2011090760.tif 000004
【図３】
2011090760.tif 000005
【図４】
2011090760.tif 000006
【図５】
2011090760.tif 000007
【図６】
2011090760.tif 000008
【図７】
2011090760.tif 000009
【図８】
2011090760.tif 000010
【図９】
2011090760.tif 000011
【図１０】
2011090760.tif 000012
【図１１】
2011090760.tif 000013
【図１２】
2011090760.tif 000014
【図１３】
2011090760.tif 000015
【図１４】
2011090760.tif 000016
【図１５】
2011090760.tif 000017
【図１６】
2011090760.tif 000018
【図１７】
2011090760.tif 000019